(57)【要約】      （修正有）【課題】ＯＦＤＭの物理トランスポートフレームを動的に構築する。【解決手段】フレームは、複数の区画を含み、各区画のＯＦＤＭシンボルは、対応するサイクリックプレフィックスサイズおよび対応するＦＦＴサイズを持つことができ、たとえば、最大遅延拡散の異なるおよび／または移動性の異なる範囲を持つユーザデバイスなど、異なる区画がユーザデバイスの異なる収集を目標とすることを可能にする。また、各フレームのサンプル速度を動的に再構成することができ、サブキャリア間隔の制御においてさらなる分解能が可能になる。異なるＯＦＤＭシンボルのサイクリックプレフィックスが異なる長さを持つことを可能にすることによって、組のペイロード期間に準拠し、区画ごとのサイクリックプレフィックスサイズの任意の値および区画ごとのＦＦＴサイズを持つフレームを構築することができる。区画は、時間および／または周波数で多重化することができる。【選択図】図１８
2020005288.tif 000002
【特許請求の範囲】
【請求項１】
プロセッサによって、フレームを複数の区画へと分割する工程と、
前記複数の区画の各々について、前記プロセッサによって、関連付けられたＯＦＤＭシンボルの長さを決定する工程と、
前記プロセッサによって、前記複数の区画を通じて前記ＯＦＤＭシンボルの結合においてＯＦＤＭシンボル長の合計を計算する工程と、
前記プロセッサによって、前記計算された合計に基づいて、および前記フレームのペイロード領域の長さに基づいて、いくつかの過剰なサンプルを計算する工程と、
前記結合の各ＯＦＤＭシンボルについて、前記プロセッサによって、過剰なサンプルの数および前記ＯＦＤＭシンボルのインデックスの少なくとも１つを使用して、前記結合の少なくとも１つのサブセットの１つに前記ＯＦＤＭシンボルを割り当て、前記フレームに前記ＯＦＤＭシンボルを埋め込む前に、前記結合の少なくとも１つのサブセットの各々において、各ＯＦＤＭシンボルのサイクリックプレフィックスサイズに数を追加する工程と
を含むデータフレームを構築するための方法。
【請求項２】
前記ＯＦＤＭシンボル長は、対応するＦＦＴサイズおよび対応するサイクリックプレフィックスサイズに基づき、前記対応するサイクリックプレフィックスは、対応する最小のガードインターバル期間に基づいてサイズ制約を満たす請求項１に記載の方法。
【請求項３】
前記結合の前記少なくとも１つのサブセットの各々に対して一意の数が使用される請求項１に記載の方法。
【請求項４】
前記コンピュータが、前記結合の前記少なくとも１つのサブセットの１つについて、そのサブセットに対する前記一意の数をゼロに設定する工程をさらに含む請求項１に記載の方法。
【請求項５】
前記結合の前記少なくとも１つのサブセットの１つは、前記結合の前記ＯＦＤＭシンボルの最初の隣接するサブセットを表している請求項１に記載の方法。
【請求項６】
前記結合の前記少なくとも１つのサブセットおよび前記結合の前記少なくとも１つのサブセットの各々に対する前記一意の数は、前記データフレームを受信するように構成されたリモートコンピューティングデバイスに既知のアルゴリズムにより決定される請求項１に記載の方法。
【請求項７】
前記コンピュータが、前記データフレームにシグナリング情報を埋め込む工程をさらに含む請求項１に記載の方法。
【請求項８】
前記コンピュータが、ＯＦＤＭシンボルクラスタを形成するために前記区画の前記ＯＦＤＭシンボルをインタリーブする工程をさらに含む請求項１に記載の方法。
【請求項９】
データフレームを構築するためのシステムであって、１つまたは複数のプロセッサと、１つまたは複数の非一時的コンピュータ可読記憶デバイスと、前記１つまたは複数のプロセッサの少なくとも１つによって実行するために前記１つまたは複数の記憶デバイスの少なくとも１つに記憶されたコンピュータ実行可能プログラム命令とを含み、前記プログラム命令は、
複数の区画を構築するための命令であって、前記区画の各々は、ＯＦＤＭシンボルの対応する組を含み、各区画における前記ＯＦＤＭシンボルは、対応するＦＦＴサイズに準拠し、対応する最小のガードインターバルを満たす命令と、
ＯＦＤＭシンボルクラスタを形成するために前記区画の前記ＯＦＤＭシンボルを時間インタリーブすることによってフレームを構築するための命令であって、前記ＯＦＤＭシンボルクラスタは、
各区画に対するＯＦＤＭシンボルクラスタサイズの指定された値と、
各区画に対するＯＦＤＭシンボルクラスタ期間の指定された値と
によって定義される命令と
を含むシステム。
【請求項１０】
前記プログラム命令は、
前記複数の区画の各々に対する関連付けられたＯＦＤＭシンボルの長さを決定するためと、
前記複数の区画を通じて前記ＯＦＤＭシンボルの結合においてＯＦＤＭシンボル長の合計を計算するためと、
前記計算された合計に基づいて、および前記フレームのペイロード領域の長さに基づいて、いくつかの過剰なサンプルを計算するためと、
前記結合の各ＯＦＤＭシンボルについて、過剰なサンプルの数および前記ＯＦＤＭシンボルのインデックスの少なくとも１つを使用して、前記結合の少なくとも１つのサブセットの１つに前記ＯＦＤＭシンボルを割り当て、前記フレームに前記ＯＦＤＭシンボルを埋め込む前に、前記結合の前記少なくとも１つのサブセットの各々において、各ＯＦＤＭシンボルのサイクリックプレフィックスサイズに数を追加するためと
のプログラム命令をさらに含む請求項９に記載のシステム。
【請求項１１】
複数の区画を構築するための命令は、モバイルコンピューティングデバイスへの送信のために前記区画の第１を構築し、固定されたコンピューティングデバイスへの送信のために前記区画の第２を構築するように構成され、前記第１の区画に対応する前記ＦＦＴサイズは、前記第２の区画に対応する前記ＦＦＴサイズより小さい請求項９に記載のシステム。
【請求項１２】
前記プログラム命令は、前記フレームにシグナリング情報を埋め込むためにプログラム命令をさらに含み、前記シグナリング情報は、各区画に対する前記ＯＦＤＭシンボルクラスタサイズの前記指定された値および各区画に対する前記ＯＦＤＭシンボルクラスタ期間の前記指定された値を示している請求項９に記載のシステム。
【請求項１３】
ユーザデバイスをさらに含み、前記ユーザデバイスは、１つまたは複数のプロセッサと、１つまたは複数の非一時的コンピュータ可読記憶デバイスと、前記１つまたは複数のプロセッサの少なくとも１つによって実行するために前記１つまたは複数の記憶デバイスの少なくとも１つに記憶されたコンピュータ実行可能命令とを含み、前記プログラム命令は、
前記ユーザデバイスが割り当てられている特定の区画について、前記フレームの前記シグナリング情報に基づいて、ＯＦＤＭシンボルクラスタサイズおよびＯＦＤＭシンボルクラスタ期間の前記対応する指定された値を決定するための命令と、
前記対応する指定された値を使用して、前記特定の区画の前記ＯＦＤＭシンボルクラスタに属する前記ＯＦＤＭシンボルを回復するための命令と
を含む請求項９に記載のシステム。
【請求項１４】
ワイヤレス通信チャネルを通じて前記データフレームを送信するように構成された送信機さらに含む請求項９に記載のシステム。
【請求項１５】
データフレームを含むトランスポートストリームを構築するためのコンピュータプログラム製品であって、実行されたときに少なくとも１つのプロセッサに、
前記フレームのペイロード領域を構築し、前記ペイロード領域のサンプルは、指定されたサンプル速度に対応し、前記指定されたサンプル速度は、基地局の送信回路によってサポートされるサンプル速度の母集団から選択され、第１のプログラム命令は、前記ペイロード領域の前記サンプルを１つまたは複数の区画へと分割するようにさらに構成され、前記区画の各々は、ＯＦＤＭシンボルの対応する組を含み、
前記トランスポートストリームにシグナリング情報を埋め込み、前記シグナリング情報は、前記指定されたサンプル速度を示すデータを含む
ようにさせるコンピュータ実行可能命令が記憶された１つまたは複数の非一時的コンピュータ可読記憶デバイスを含むコンピュータプログラム製品。
【請求項１６】
前記第１のプログラム命令は、ブロードキャストネットワークのオペレータからの前記指定されたサンプル速度を示すデータを受信するように構成される請求項１５に記載のコンピュータプログラム製品。
【請求項１７】
前記第２のプログラム命令は、前記フレームの非ペイロード領域に前記シグナリング情報を埋め込むように構成される請求項１５に記載のコンピュータプログラム製品。
【請求項１８】
前記１つまたは複数の区画は、前記１つまたは複数の区画に関連付けられたＯＦＤＭシンボルに対するＦＦＴサイズの対応する値を含む請求項１５に記載のコンピュータプログラム製品。
【請求項１９】
前記第１のプログラム命令は、各区画に対して、前記区画に対する指定された最小のサブキャリア間隔を満たす前記区画に対するサブキャリア間隔を定義するために、前記区画および前記指定されたサンプリングレートに対する前記ＦＦＴサイズを選択するようにさらに構成される請求項１８に記載のコンピュータプログラム製品。
【発明の詳細な説明】
【技術分野】
【０００１】
[0001]  本出願は、参照によりその全体が本明細書に組み込まれている、２０１４年８月７日に出願した米国特許出願第６２／０３４，５８３号の優先権を主張するものである。
【０００２】
[0002]  本開示は、ワイヤレス通信の分野に関し、より詳しくは、ブロードキャストネットワークにおける送信の構成において柔軟性を実現するために、直交周波数分割多重（「OFDM」）の物理トランスポートフレームを動的に構築するための機構に関する。
【背景技術】
【０００３】
[0003]  今日の世界では、多くの電子デバイスが、他の接続されているデバイスからのデータの受信にワイヤレス接続に依存している。典型的なワイヤレス展開では、データを送信する１つまたは複数のワイヤレスアクセスポイント、およびワイヤレスアクセスポイントからデータを受信する１つまたは複数のデバイスがある場合がある。
【０００４】
[0004]  そのようなシナリオでは、異なるデバイスは、異なる伝播チャネル特性を持つ場合があり、これらは、同じワイヤレスアクセスポイントからのそれらのワイヤレスデータ受信に影響する場合がある。たとえば、ワイヤレスアクセスポイントに近い、および／または場所が固定されている（またはゆっくり移動している）デバイスは、高速度で移動している、および／またはワイヤレスアクセスポイントからより離れているデバイスよりも優れた伝播チャネル条件を持つことができる。第１のデバイスは、（たとえば、高い順方向誤り修正（FEC）符号化率、高い変調レベル、および／または直交周波数分割多重（以下、「OFDM」と呼ぶ）システムにおけるより小さなサブキャリア間隔など）パラメータの１組で符号化および送信されるデータを受信することができるデバイスの群に該当する場合がある一方、第２のデバイスは、データが（たとえば、低いＦＥＣ符号化率、低い変調レベル、および／またはＯＦＤＭ方式におけるより広いサブキャリア間隔など）パラメータの第２の組で符号化および送信されることを必要とするデバイスの群に該当する場合がある。
【０００５】
[0005]  多数のデバイスがすべて、共通のソースから同一のデータを受信することを希望するシナリオが多くある。そのような例の１つは、ブロードキャストテレビであり、様々な家庭にある多数のテレビがすべて、興味のある番組を伝達する共通のブロードキャスト信号を受信する。そのようなシナリオでは、各デバイスに同じデータを個々にシグナリングするより、そのようなデバイスにデータをブロードキャストまたはマルチキャストする方が極めて効率的である。しかし、異なる品質レベルを持つ番組（たとえば、高解像度のビデオ、標準解像度のビデオなど）は、異なる伝播チャネル特性を用いてデバイスの異なる群に送信される必要がある場合がある。他のシナリオでは、特定のデバイスに、デバイスに特有のデータを送信することが望ましい場合があり、そのデータを符号化および送信するために使用されるパラメータは、デバイスの場所および／または伝播チャネル条件に依存する場合がある。
【０００６】
[0006]  上に記述したように、伝送されたデータの異なる組は、同時または時分割多重化の方法（または両方）で、異なる符号化および送信パラメータを用いて送信される必要がある場合がある。特定のデータセットで送信されるデータの量および／またはそのデータセットに対する符号化および送信パラメータは、時間とともに変動する場合がある。
【０００７】
[0007]  同時に、高速ワイヤレスデータに対する需要は増加し続け、潜在的に時間の変動に基づいて利用可能なワイヤレスリソース（ワイヤレススペクトルの特定の部分など）を可能な限り最も効率的に使用することが望ましい。
【発明の概要】
【課題を解決するための手段】
【０００８】
[0008]  現代および未来の高速ワイヤレスネットワークは、様々な展開シナリオの効率的な処理に対応するように設計されなければならない。展開シナリオの全領域においてサービスを支援するために、ワイヤレスデータ伝達において幅広い柔軟性を実現する機構がここに開示され、これは、以下に限定しないが、受信機の移動性（たとえば、固定、ノマディック、モバイルなど）、セルサイズ（たとえばマクロ、マイクロ、ピコ）、単一または複数の周波数ネットワーク（ＳＦＮまたはＭＦＮ）、異なるサービスの多重化、および帯域幅の共有を含む場合がある。
【０００９】
[0009]  Ａ．実施形態の１組では、指定された時間的な長さを持つフレームを構成および送信する方法は、以下のように実装することができる。方法は、基地局からの送信を構成する際に柔軟性を実現することができる。
【００１０】
[0010]  方法は、基地局のデジタル回路を使用して、動作を実行することを含む場合があり、その動作は、（a）フレームの１つまたは複数の区画の各々について、区画に属するＯＦＤＭシンボルに対する対応するＯＦＤＭシンボル長を決定することであって、ＯＦＤＭシンボル長は、対応するＦＦＴサイズおよび対応するサイクリックプレフィックスサイズに基づき、対応するサイクリックプレフィックスサイズは、対応する最小のガードインターバル期間に基づいてサイズ制約を満たすことと、（b）区画を通じたＯＦＤＭシンボルの結合においてＯＦＤＭシンボル長の合計を計算することと、（c）合計およびフレームのペイロード領域の長さに基づいていくつかの過剰なサンプルを計算することと、（d）フレームを構築することとを含む。
【００１１】
[0011]  フレームを構築するというアクションは、結合の各ＯＦＤＭシンボルについて、過剰なサンプルの数およびＯＦＤＭシンボルのインデックスの少なくとも１つを使用して、結合の少なくとも１つのサブセットの正確に１つにＯＦＤＭシンボルを割り当てることと、フレームにＯＦＤＭシンボルを埋め込む前に、結合の少なくとも１つのサブセットの各々において、各ＯＦＤＭシンボルのサイクリックプレフィックスサイズに数を追加することであって、結合の少なくとも１つのサブセットの各々に対して一意の数が使用されることとを含むことができる。
【００１２】
[0012]  方法は、また、基地局の送信機を使用して、ワイヤレスチャネルを通じてフレームを送信することを含むことができる。
【００１３】
[0013]  一部の実施形態では、フレームを構築するアクションは、また、結合の少なくとも１つのサブセットの１つについて、そのサブセットに対する一意の数をゼロに設定することを含む。
【００１４】
[0014]  一部の実施形態では、結合の少なくとも１つのサブセットの１つは、結合におけるＯＦＤＭシンボルの最初の隣接するサブセットを表している。
【００１５】
[0015]  一部の実施形態では、結合の少なくとも１つのサブセットおよび結合の少なくとも１つのサブセットの各々に対する一意の数は、その送信を受信するリモートデバイスに既知のアルゴリズムにより決定される。
【００１６】
[0016]  Ｂ．実施形態の１組では、基地局によってフレームを構築および送信する方法は、以下のように実装することができる。
【００１７】
[0017]  方法は、基地局のデジタル回路を使用して、動作を実行することを含むことができ、動作は、フレームのペイロード領域を構築することを含む。ペイロード領域は、複数の区画を含み、区画の各々は、対応する複数のＯＦＤＭシンボルを含み、各区画は、その区画においてＯＦＤＭシンボルに対する、対応するＦＦＴサイズおよび対応するサイクリックプレフィックスサイズを持つ。
【００１８】
[0018]  方法は、また、基地局の送信機を使用して、ワイヤレスチャネルを通じてフレームを送信することを伴う場合がある。
【００１９】
[0019]  一部の実施形態では、動作は、また、フレームの非ペイロード領域にシグナリング情報を埋め込むことを含み、シグナリング情報は、区画の各々に対するＦＦＴサイズおよびサイクリックプレフィックスサイズを示している。
【００２０】
[0020]  一部の実施形態では、区画の各々は、オーバーヘッドリソース要素（参照シンボルなど）の対応する組を含む。これらの実施形態では、動作は、また、フレーム内のオーバーヘッドリソース要素を予約した後、１つまたは複数のサービスデータストリームから区画の各々へのシンボルデータをスケジューリングすることを含むことができる。
【００２１】
[0021]  一部の実施形態では、区画の第１は、モバイルデバイスに送信することを目標とし、区画の第２は、固定されたデバイスに送信することを目標とする。これらの実施形態では、第１の区画に対応するＦＦＴサイズは、第２の区画に対応するＦＦＴサイズより小さい場合がある。
【００２２】
[0022]  一部の実施形態では、区画の第１は、大きな遅延拡散を持つことが予想される第１のユーザデバイスに送信することを目標とし、区画の第２は、より小さな遅延拡散を持つことが予想される第２のユーザデバイスに送信することを目標とする。これらの実施形態では、第１の区画に対するサイクリックプレフィックスサイズは、第２の区画に対するサイクリックプレフィックスサイズより大きい場合がある。
【００２３】
[0023]  一部の実施形態では、フレームは、予想されるユーザの移動性ならびにＦＦＴサイズおよびサイクリックプレフィックスサイズによって決定されるような必要とされるセル有効範囲による上に記述した区画に加えて（またはその代替案として）、１つまたは複数の他の要素により分割することができる。たとえば、要素は、データ転送速度を含むことができ、異なる区画は異なるデータ転送速度を持つ。特に、異なる区画は、（モノのインターネットの回線に沿って）高いデータ転送速度または低いデータ転送速度を持つ場合があり、低い電力受信に対してはより低いデューティサイクルを用いる。一例では、要素は、綿密なクラスタ化対ゆるいクラスタ化を含み、時間ダイバーシティは、低電力デバイスがウェイクアップし、それが必要とするデータを消費し、次いで、スリープに戻るのを可能にするために犠牲にされる。一例では、要素は、帯域形作りまたは他の干渉緩和手法を可能にするために、より低い変調オーダーを使用して、帯域端がより堅牢に符号化されることを可能にする周波数区画化を含むことができる。
【００２４】
[0024]  Ｃ．実施形態の１組では、基地局によってフレームを構築および送信するための方法は、以下のように実装することができる。
【００２５】
[0025]  方法は、基地局のデジタル回路を使用して、動作を実行することを含むことができ、動作は、（a）複数の区画を構築することであって、区画の各々は、ＯＦＤＭシンボルの対応する組を含み、各区画におけるＯＦＤＭシンボルは、対応するＦＦＴサイズに準拠し、対応する最小のガードインターバルを満たすことと、（b）ＯＦＤＭシンボルクラスタを形成するために区画のＯＦＤＭシンボルを時間インタリーブすることによってフレームを構築することであって、ＯＦＤＭシンボルクラスタは、各区画に対するＯＦＤＭシンボルクラスタサイズの指定された値および各区画に対するＯＦＤＭシンボルクラスタ期間の指定された値によって定義されることとを含む。
【００２６】
[0026]  方法は、また、基地局の送信機を使用して、ワイヤレスチャネルを通じてフレームを送信することを含むことができる。
【００２７】
[0027]  一部の実施形態では、区画の第１は、モバイルデバイスに送信することを目標とし、区画の第２は、固定されたデバイスに送信することを目標とする。これらの実施形態では、第１の区画に対応するＦＦＴサイズは、第２の区画に対応するＦＦＴサイズより小さい場合がある。
【００２８】
[0028]  一部の実施形態では、上記の動作は、また、フレームにシグナリング情報を埋め込むことを含むことができ、シグナリング情報は、各区画に対するＯＦＤＭシンボルクラスタサイズの指定された値および各区画に対するＯＦＤＭシンボルクラスタ期間の指定された値を示している。
【００２９】
[0029]  一部の実施形態では、ユーザデバイスは、（１）フレームを受信する、（２）ユーザデバイスが割り当てられている特定の区画について、フレームのシグナリング情報に基づいて、ＯＦＤＭシンボルクラスタサイズおよびＯＦＤＭシンボルクラスタ期間の対応する指定された値を決定する、および（３）対応する指定された値を使用して、特定の区画のＯＦＤＭシンボルクラスタに属するＯＦＤＭシンボルを回復するように構成することができる。
【００３０】
[0030]  Ｄ．実施形態の１組では、基地局によってトランスポートストリームを構築および送信するための方法は、以下のように実装することができる。トランスポートストリームは、フレームを含む。
【００３１】
[0031]  方法は、基地局のデジタル回路を使用して、動作を実行することを伴う場合があり、動作は、（a）フレームのペイロード領域を構築することであって、ペイロード領域のサンプルは、指定されたサンプル速度に対応し、指定されたサンプル速度は、基地局の送信回路によってサポートされる可能なサンプル速度の母集団から選択され、ペイロード領域のサンプルは、１つまたは複数の区画に分割され、区画の各々は、ＯＦＤＭシンボルの対応する組を含むことと、トランスポートストリームにシグナリング情報を埋め込むことであって、シグナリング情報は、指定されたサンプル速度を示す情報を含むこととを含む。
【００３２】
[0032]  方法は、また、基地局の送信機を使用して、ワイヤレスチャネルを通じてトランスポートストリームを送信することを含むことができる。
【００３３】
[0033]  一部の実施形態では、指定されたサンプル速度は、その基地局を含むブロードキャストネットワークのオペレータによって指定された。
【００３４】
[0034]  一部の実施形態では、上記のシグナリング情報は、フレームの非ペイロード領域に埋め込まれている。代替実施形態では、シグナリング情報は、トランスポートストリームの前のフレームに埋め込まれ得る。
【００３５】
[0035]  一部の実施形態では、各区画は、その区画に含まれるＯＦＤＭシンボルに対してＦＦＴサイズの対応する値を持つ。
【００３６】
[0036]  一部の実施形態では、各区画に対して、その区画のＦＦＴサイズおよびユーザに指定されたサンプリングレートは、その区画に対する指定された最小のサブキャリア間隔（またはドップラ耐性）を満たすその区画に対するサブキャリア間隔を定義するために選択された。
【００３７】
[0037]  本発明は、好ましい実施形態の以下の詳細な説明について、以下の図面に関連して考慮されたときに、より深く理解されるであろう。
【図面の簡単な説明】
【００３８】
【図１Ａ】[0038]複数の基地局を含むブロードキャストネットワークの一実施形態を示す図である。
【図１Ｂ】[0039]サイクリックプレフィックスおよび有益な部分の両方を含む直交周波数分割多重（「OFDM」）シンボルの一実施形態を示す図である。
【図２】[0040]例示的なフレーム構造の概要を示す図である。
【図３Ａ】[0041]ＰＰＤＣＨの明確な時間分離を用いる物理区画データチャネル（PPDCH:Physical Partition Data CHannel）時分割多重化の例を示す図である。
【図３Ｂ】[0042]ＰＰＤＣＨの明確な時間分離を用いる例示的な物理区画データチャネル（PPDCH）時分割多重化を示す図である。
【図４Ａ】[0043]ＰＰＤＣＨの時間インタリーブを用いるＰＰＤＣＨ時分割多重化の例を示す図である。
【図４Ｂ】[0044]ＰＰＤＣＨの時間インタリーブを用いるＰＰＤＣＨ時分割多重化の例を示す図である。
【図５】[0045]一実施形態による、ペイロードデータを運ぶための異なる物理チャネルの関係を示す図である。
【図６】[0046]一実施形態による、フレームごとに変動するＰＦＤＣＨサンプリングレートを示す図である。
【図７】[0047]一実施形態による、フレームのペイロード領域内のＯＦＤＭシンボルのサイクリックプレフィックスに過剰なサンプルを配布する例を示す図である。
【図８】[0048]一実施形態による、ＯＦＤＭシンボル内の有益なサブキャリアを示す図である。
【図９】[0049]一実施形態による、ＰＰＤＣＨ周波数分割多重化の例を示す図である。
【図１０】[0050]一実施形態による、ＰＰＤＣＨ内の論理リソースのレイアウトを示す図である。
【図１１】[0051]一実施形態による、ＰＰＤＣＨ内の論理的なストライプおよび論理的なサブバンドを示す図である。
【図１２】[0052]一実施形態による、論理的なサブバンドに属する論理的なストライプへの仮想的なサブバンドに属する仮想的なストライプのマッピングを示す図である。
【図１３】[0053]一実施形態による、論理的なストライプへの仮想的なストライプの例示的な回転およびマッピングを示す図である。
【図１４】[0054]一実施形態による、仮想的なストライプへの論理的なストライプの例示的な回転およびマッピングを示す図である。
【図１５】[0055]一実施形態による、ＰＰＤＣＨの仮想リソースに物理サービスデータチャネル（PSDCH:Physical Service Data CHannel）をマッピングする例を示す図である。
【図１６】[0056]一実施形態による、受信機との通信のための連結された物理フレームデータチャネル（PFDCH:Physical Frame Data CHannel）、ＰＰＤＣＨ、およびＰＳＤＣＨ記述子の例を示す図である。
【図１７】[0057]基地局によってフレームを構築および送信するための方法の一実施形態を示す図であり、フレームは、複数の区画を含み、各々は、対応するＦＦＴサイズおよび対応するサイクリックプレフィックスサイズを持つ。
【図１８】[0058]基地局によってフレームを構築および送信するための方法の一実施形態を示す図であり、過剰なサンプルは、フレームにおいてＯＦＤＭシンボルのサイクリックプレフィックスに配布される。
【図１９】[0059]基地局によってフレームを構築および送信するための方法の一実施形態を示す図であり、フレームは、複数の区画を含み、各々は、対応するＦＦＴサイズおよび対応するサイクリックプレフィックスサイズを持ち、区画は時間インタリーブされる。
【図２０】[0060]基地局によってフレームを構築および送信するための方法の一実施形態を示す図であり、フレームのペイロード領域に関連付けられたサンプル速度は構成可能である。
【発明を実施するための形態】
【００３９】
[0061]  本発明は、様々な変更および代替形式が可能であるが、その特定の実施形態について、図面の例を用いて示し、本明細書に詳細に記述している。しかし、それらの図面および詳細な説明は、本発明を開示された特定の形式に制限することを意図するものではなく、逆に、添付された特許請求の範囲によって定義されるように、本発明の精神および範囲内に該当するすべての変更、等価物、および代替案をすべて包含することを意図するものであることを理解されたい。
本特許で使用される頭文字のリスト
ＡＴＳ：補助終了シンボル
ＢＧ：ブロードキャストゲートウェイ
ＢＳ：基地局
ＣＰ：サイクリックプレフィックス
ＣＲＣ：巡回冗長検査
ＤＣ：直流
ＦＥＣ：順方向誤り修正
ＦＦＴ：高速フーリエ変換
ＩＦＦＴ：逆高速フーリエ変換
ＬＤＰＣ：低密度パリティチェック
ＭＡＣ：メディアアクセス制御
ＭＦＮ：多重周波数ネットワーク
ＭＨｚ：メガヘルツ
ＯＦＤＭ：直交周波数分割多重
ＰＤＵ：プロトコルデータユニット
ＰＨＹ：物理レイヤ
ＰＦＤＣＨ：物理フレームデータチャネル
ＰＰＤＣＨ：物理区画データチャネル
ＰＳＤＣＨ：物理サービスデータチャネル
ＱＡＭ：直交振幅変調
ＲＳ：参照シンボル
ＳＦＮ：単一周波数ネットワーク
ブロードキャストネットワークアーキテクチャ
【００４０】
[0062]  実施形態の１組では、図１Ａに示すように、ブロードキャストネットワーク１００を構成することができる。ブロードキャストネットワーク１００は、実例として基地局ＢＳ１、ＢＳ２、．．．、ＢＳＮによって提案された、複数の基地局１０１ａ、１０１ｂ、．．．、１０１ｎを含むことができる（以下、基地局１０１と呼ぶ）。ブロードキャストゲートウェイ（「BG」）１０２は、様々な通信媒体のいずれかを通じて基地局１０１に結合することができる。たとえば、一実施形態では、ブロードキャストゲートウェイ１０２は、インターネットを通じて、またはより一般的には、コンピュータネットワークを介して基地局１０１に結合することができる。各基地局１０１は、１つまたは複数のユーザデバイス１０３に情報をワイヤレスで送信する（各ユーザデバイスＵＤは、塗りつぶした円によって示されている）。ユーザデバイス１０３の一部は、テレビおよびデスクトップコンピュータなど固定されたデバイスの場合がある。ユーザデバイス１０３の他のものは、タブレットコンピュータまたはラップトップコンピュータなどノマディック（nomadic）デバイスの場合がある。ユーザデバイス１０３の他のものは、携帯電話、自動車ベースのデバイス、航空機ベースのデバイスなどモバイルデバイスの場合がある。
ブロードキャストネットワーク１００のオペレータ（「Op」）１０４は、（たとえばインターネットを介して）ブロードキャストゲートウェイ１０２にアクセスし、ゲートウェイ１０２にネットワーク構成または操作命令を提供することができる。たとえば、オペレータ１０４は、以下のアイテムの１つまたは複数などの情報を提供することができる：基地局の１つまたは複数に対するユーザデバイス移動性の予想される配布、基地局の１つまたは複数のセルサイズ、単一周波数ネットワーク（SFN）または多重周波数ネットワーク（MFN）としてブロードキャストネットワークまたはネットワークのサブセットが運用されるかどうかの選択、異なるサービス（たとえばテレビのコンテンツストリーム）が異なるタイプのユーザデバイスにどのようにして割り当てられるかの仕様、およびブロードキャストネットワークが対応する期間を通じて使用しない帯域幅の部分の識別。
【００４１】
[0063]  ブロードキャストゲートウェイは、ネットワーク構成または操作命令に基づいてブロードキャストネットワークの１つまたは複数の基地局に対して送信制御情報を決定することができる。所与の基地局について、ブロードキャストゲートウェイは、送信サンプル速度、区画の数、区画のサイズ、ＦＦＴサイズ、および各区画に対するサイクリックプレフィックスサイズを決定することができる。ブロードキャストゲートウェイは、基地局へ送信制御情報を送ることができるため、基地局は、送信制御情報によりフレームを構築および送信することができる。他の実施形態では、ゲートウェイ自体は、各ゲートウェイによって送信されるフレームを生成し、基地局へフレームを送ることができる。さらに他の実施形態では、ゲートウェイは、基地局へのフレームの構築のために低水準命令（たとえば物理レイヤ命令）を生成し、基地局へそれらの命令を送ることができ、基地局は、命令に基づいてフレームを単に生成することができる。
ＯＦＤＭシンボルおよびＦＦＴ／ＩＦＦＴサイズ
【００４２】
[0064]  直交周波数分割多重（OFDM）システムは、送信のために周波数領域データを時間領域に変換するために、送信機で逆高速フーリエ変換（「IFFT」）動作を使用し、もともと送信されたデータを回復するために、周波数領域へ受信された時間領域値を変換するために、受信機で高速フーリエ変換（「FFT」）動作を使用する。以下の文では、ＦＦＴという用語が一般的に使用されるが、記述されたパラメータは、ＦＦＴおよびＩＦＦＴの両方の動作に対する周波数および時間の次元に対応する。
【００４３】
[0065]  説明を目的として、ここでは、ＦＳ＝１２．２８８ＭＨｚという例示的な基準となるサンプリングレートが一般的に使用される。これは制限することが目的ではなく、他のサンプリングレートも使用することができる。１つのサンプルに対応する対応する基準となる時間ユニットは、ＴＳ＝１／ＦＳ秒である。
【００４４】
[0066]  多種多様の伝播条件および異なるエンドユーザシナリオに対応するために、異なるＦＦＴ／ＩＦＦＴのサイズおよびサイクリックプレフィックス長の範囲をサポートすることができる。スケジューラなど個別のエンティティは、以下のガイドラインを使用して、各フレームについて適切なＦＦＴ／ＩＦＦＴサイズおよびサイクリックプレフィックス長を選択することができる。
【００４５】
[0067]  最初に、意図されるユーザ移動性をサポートするために必要とされる最小のサブキャリア間隔が決定される。移動速度が上がるとより大きなドップラ偏移が得られるため、周波数Δｆでより広いサブキャリア間隔を必要である。サブキャリア間隔は、以下のように計算することができる。これは、より大きなＦＦＴサイズが固定されたシナリオに使用されるであろうことを意味し、より小さなＦＦＴサイズが移動シナリオで使用される。
【００４６】
【数１】
2020005288.tif 000003
【００４７】
[0068]  ＴＳｙｍという合計時間長を用いる各ＯＦＤＭシンボルは、図１Ｂに示した例示的なＯＦＤＭシンボル１０２に示すように、ＴＣＰという時間長を用いるサイクリックプレフィックスおよびＴＵという時間長を用いる有益な部分という２つの部分から構成される。ＯＦＤＭシンボル１０２の有益な部分１０４は、ＩＦＦＴ／ＦＦＴの動作に必要なものに対応するデータの量を指す。サイクリックプレフィックス１０６は、単にＯＦＤＭシンボルの有益な部分１０４の最後のＮＣＰサンプル１０８のコピーであり、したがって、ＯＦＤＭシンボル１０２に含まれているオーバーヘッドを本質的に表している。
【００４８】
[0069]  ＯＦＤＭシンボル１０２の有益な部分１０４は、ＦＦＴ（NFFT）のサイズと等しいいくつかの時間サンプル、および以下と等しい時間長を持つ。
【００４９】
【数２】
2020005288.tif 000004
【００５０】
[0070]  サイクリックプレフィックス１０６は、ＴＣＰの対応する時間長を用いる指定された数のサンプル（NCP）を含む。サイクリックプレフィックス１０６は、同じＯＦＤＭシンボル１０２の有益な部分の終了部分からコピーされたサンプル値から構成され、連続するＯＦＤＭシンボル１０２の間の符号間干渉からの保護を提供する。
【００５１】
[0071]  ＦＦＴ／ＩＦＦＴ内で実際に使用されるサブキャリアの数は、（隣接チャネル間の保護帯域を可能にするために）使用されるサブキャリアによって占められた帯域幅は、システムの帯域幅未満でなければならないので、（ＦＦＴサイズおよびサンプリング周波数の関数である）サブキャリア間隔とシステムの帯域幅の両方に依存している。また、直流（DC）キャリアは使用されないことに注意すること。
【００５２】
[0072]  表１は、使用できる可能なＦＦＴサイズのリストを示している。２の整数累乗であるＦＦＴサイズは、単純化を理由にワイヤレス実装において好ましい場合がある。各ＯＦＤＭシンボル１０２の使用可能な部分に対応する時間長（TU）、サブキャリア間隔（Δf）、および７００ＭＨｚという例示的な搬送周波数で処理できる最大のドップラ速度も示されている。ここでは、最大ドップラ速度は、サブキャリア間隔の１０％と等しいドップラ周波数シフトが得られる受信機の速度として定義される（ここで使用される１０％は、現在開示されている発明にとって必要ではないことを理解されたい。実際は、割合は、値の範囲における任意の値を取ることができる）。この表の値は、１２．２８８ＭＨｚという想定される例示的なサンプリング周波数に基づいている。
【００５３】
【表１】
2020005288.tif 000005
【００５４】
[0073]  表２は、１８．４３２ＭＨｚという異なる例示的なサンプリングレートに対する同じ情報を示している。見られるように、所与のＦＦＴサイズについて、１８．４３２ＭＨｚのサンプリングレートは、１２．２８８ＭＨｚというサンプリングレートと比較して、より短いＯＦＤＭシンボル長（TU）、より広いサブキャリア間隔（Δf）、および処理できるより高い最大ドップラ速度が得られる。
【００５５】
【表２】
2020005288.tif 000006
サイクリックプレフィックス長およびサイクリックプレフィックス長の選択
【００５６】
[0074]  次に、サイクリックプレフィックス（「CP」）長は、意図される範囲要件を満たすために選択することができる。サイクリックプレフィックスは、連続するＯＦＤＭシンボルの間の符号間干渉に対処するために使用される。そのような符号間干渉は、受信機に到着するわずかに異なる時間遅延を持つ送信された信号のコピーから発生し、そのようなコピーは、単一周波数ネットワーク（「SFN」）において複数の基地局からの同一シグナリングおよび／またはマルチ経路の伝播環境における送信された信号の反射の結果として生じる。結果的に、隣接する基地局の間に大きな距離を持つＳＦＮにおいて（または潜在的に著しいマルチ経路散乱を持つ伝播環境において）、より大きなＣＰ長が選択される。反対に、隣接する基地局がともにより接近したＳＦＮでは、より短いＣＰ長を使用することができる。
【００５７】
[0075]  ＣＰ長は、全体的なＯＦＤＭシンボル長に関するパーセントとして見られ得る（ＣＰによって消費されるパーセントオーバーヘッド（percent overhead）が生じる）。しかし、範囲の計画においては、（１２．２８８ＭＨｚの例示的なサンプリング周波数によって定義されるように）サンプルにおいて測定されるようなＣＰ長を見る方が有益である。
【００５８】
[0076]  無線信号は、１２．２８８ＭＨｚという例示的なサンプリング周波数に対して、１サンプルの時間に約２４．４メートルを伝播する。
【００５９】
[0077]  表３は、サイクリックプレフィックス長（サンプル数）および各ＯＦＤＭシンボルの有益な部分に（割合として）関連して指定された様々な例示的なサイクリックプレフィックス長に対する対応する範囲（km単位）を示している。ここでも、表の値は、１２．２８８ＭＨｚという例示的なサンプリング周波数に基づいている。
【００６０】
【表３】
2020005288.tif 000007
【００６１】
[0078]  上記のサイクリックプレフィックス長は、実例としてのみ考えられるべきである。特に、サイクリックプレフィックス長は、２の累乗（または２の累乗の倍数）に制限されるものと必ずしも考えられるべきでない。サイクリックプレフィックス長は、任意の正の整数値を持つことができる。
ペイロードデータ用語
【００６２】
[0079]  ワイヤレスシステムでは、データは、一般的に、一連のフレームにおいて送信することができ、これは一定の期間を表すものである。図２は、一般的なフレーム構造の概要を示している。フレーム２０２は、実際のペイロードデータを運ぶペイロード領域２０４および制御または他のシグナリング情報を運ぶことができるゼロ以上の非ペイロード領域２０６および２０８に分割することができる。図２の例では、個別の非ペイロード領域２０６および２０８が、フレーム２０２の開始部分および終了部分の陰が付けられた部分によって示されている。時間の相対的な長さ（水平軸）および各領域に対するシンボルの数は、この例示的な図では縮尺して示されていない。
【００６３】
[0080]  フレームのペイロード部２０４は、物理フレームデータチャネル（「PFDCH」）と呼ばれ得て、（制御データまたは他のシグナリングデータとは対照的に）基地局によって送信される実際のペイロードデータを運ぶ。説明を目的として、各フレーム２０２は、１秒という時間長を持ち、ペイロード領域（PFDCH）２０４は、９９０ｍｓという時間長を持つことを想定することができるが、これらの例示的な長さは、制限することが目的ではない。
【００６４】
[0081]  ＯＦＤＭワイヤレスフレーム２０２、特にペイロード部分２０４は、時間次元ではＯＦＤＭシンボルに、周波数次元では副搬送波に分割される。ＯＦＤＭのデータ運搬能力の最も基本的な（時間周波数）単位はリソース要素であり、これは、時間次元における１つのＯＦＤＭシンボルによって周波数次元において１つの副搬送波として定義される。各リソース要素は、１つのＱＡＭ変調シンボル（またはＱＡＭコンスタレーション）を運ぶことができる。
【００６５】
[0082]  固定されたシステム帯域幅に利用可能な副搬送波の数は、サブキャリア間隔に依存し、これは、次に、選択されたＦＦＴサイズおよびサンプリング周波数に依存する。ＯＦＤＭシンボルの時間長は、また、選択されたＦＦＴサイズ、ならびに選択されたサイクリックプレフィックス長およびサンプリング周波数にも依存する。固定された期間（フレームの長さなど）内に利用可能なＯＦＤＭシンボルの数は、その期間内に含まれる個々のＯＦＤＭシンボルの時間長に依存する。
【００６６】
[0083]  ＰＦＤＣＨ２０４は、１つもしくは複数の区画または物理区画データチャネル（以下、「PPDCH」と呼ぶ）に分割することができる。ＰＰＤＣＨは、周波数次元におけるいくつかの副搬送波および時間次元内のいくつかのＯＦＤＭシンボルを測定する長方形の論理的な領域である。ＰＰＤＣＨは、システムの完全な周波数帯域幅、またはＰＦＤＣＨ２０４の完全な時間長に及ぶ必要はない。これは、複数のＰＰＤＣＨが同じＰＦＤＣＨ２０４内で時間および／または周波数で多重化されることを可能にする。
【００６７】
[0084]  異なるＰＰＤＣＨは、持つことを強要されないが、異なるＦＦＴサイズおよび／または異なるサイクリックプレフィックス長を持つことができる。ＰＦＤＣＨ２０４を複数のＰＰＤＣＨに分割することの背後にある主な意図は、異なるカテゴリの端末に対するサービスの提供をサポートすることである。たとえば、固定された端末は、大きなＦＦＴサイズおよびより接近したサブキャリア間隔を用いてＰＰＤＣＨを介してプログラムデータが供給される場合がある一方、モバイル端末は、より小さなＦＦＴサイズおよびより広いサブキャリア間隔を用いて異なるＰＰＤＣＨを介してプログラムデータが供給される場合がある。
【００６８】
[0085]  図３Ａおよび図３Ｂは、それぞれ分割されたＰＦＤＣＨ３０２および３１０という２つの例を示している。これらの例示的な構成は、以前に述べた１秒という例示的なフレーム長および９９０ｍｓというＰＦＤＣＨ長を使用し、これは、各例示的なフレームの最初に１０ｍｓの非ペイロード領域を残す。図３Ａに示した例では、２つのＰＰＤＣＨ３０４および３０６は異なるＦＦＴサイズを使用し、それぞれノマディックユーザおよび固定されたユーザに供給することが意図される場合がある。図３Ｂに示した例では、３つのＰＰＤＣＨ３１２、３１４、および３１６は、異なるＦＦＴサイズを使用し、それぞれモバイルユーザ、ノマディックユーザ、および固定されたユーザに供給することが意図される場合がある。サンプルで測定されるのと同じサイクリックプレフィックス長は、異なるカテゴリのユーザに対する望まれる送信範囲が同じであることが望まれる場合、ＰＰＤＣＨのすべてに対して使用することができる。しかし、同じサイクリックプレフィックス長が複数のＰＰＤＣＨを横断して使用されることを必要とする制約はないため、構成されたサイクリックプレフィックス長は、ＰＰＤＣＨによって変動する場合があり、異なるＰＰＤＣＨに対する異なるサイクリックプレフィックス長の使用は、実際に、特定のワイヤレス供給シナリオでは望ましい場合がある。
【００６９】
[0086]  図３は、時分割多重化が使用されるときの異なるＰＰＤＣＨの間の厳密な時間分離を示しているが、図４Ａおよび図４Ｂに示すように、異なるＰＰＤＣＨからのＯＦＤＭシンボルまたはＯＦＤＭシンボルクラスタは、所与のフレーム構成に対する時間ダイバーシティを最大化するために、相互に時間インタリーブできることを理解されたい。図４Ａでは、ＰＦＤＣＨ４０２は、第１のＰＰＤＣＨに属するＯＦＤＭシンボルクラスタ４０４および第２のＰＰＤＣＨに属するＯＦＤＭシンボルクラスタ４０６を用いて時間インタリーブされる方法で分割されている。図４Ｂでは、ＰＦＤＣＨ４１２は、第１のＰＰＤＣＨに属するＯＦＤＭシンボルクラスタ４１４、第２のＰＰＤＣＨに属するＯＦＤＭシンボルクラスタ４１６、および第３のＰＰＤＣＨに属するＯＦＤＭシンボルクラスタ４１８を用いて時間インタリーブされる方法で分割されている。
【００７０】
[0087]  上記の手法の各々には利点がある。図３Ａおよび図３Ｂなどにおける厳密な時間分離では、受信する端末は、各フレームの一部に対してのみその無線をアクティブ化する必要があり、これにより電力消費を減らすことができる。図４Ａおよび図４Ｂに示したような時間インタリーブを使うと、より大きな時間ダイバーシティを達成することができる。
【００７１】
[0088]  図３Ａおよび図３Ｂならびに図４Ａおよび図４ＢのＰＰＤＣＨは、同じサイズであるが、同じフレーム内のＰＰＤＣＨが同じ長さであるという要件はない。実際は、異なる変調レベルおよび符号化率は、異なるＰＰＤＣＨ内で使用される可能性が高いので、異なるＰＰＤＣＨのデータ運搬能力は、また、大きく異なる場合がある。
【００７２】
[0089]  フレーム内の各ＰＰＤＣＨは、ゼロ以上の物理サービスデータチャネル（Physical Service Data CHannel）（以下、「PSDCH」と呼ぶ）を含むことができる。ＰＰＤＣＨ内の物理リソースの一部またはすべては、未使用のまま残される場合があることを理解されたい。ＰＳＤＣＨのコンテンツは、対応するＰＰＤＣＨ内の物理リソースの指定された組を使用して、符号化および送信される。各ＰＳＤＣＨは、データを運ぶ目的のために正確に１つのトランスポートブロックを含む。トランスポートブロックは、メディアアクセス制御（「MAC」）プロトコルデータユニット（「PDU」）に対応する場合があり、送信される上位レイヤからのデータバイトの組を表している。
【００７３】
[0090]  様々なペイロード関連の物理チャネルの関係は図５に示されている。各フレームは、１つのＰＦＤＣＨ５０２を含む。ＰＦＤＣＨ５０２は、１つまたは複数のＰＰＤＣＨ５０４を含む。各ＰＰＤＣＨ５０４は、ゼロ以上のＰＳＤＣＨ５０６を含む。
フレームごとの変動するサンプリングレート
【００７４】
[0091]  １２．２８８ＭＨｚの例示的なサンプリングレートは、一般的に、ここでは説明を目的として使用されているが、これは制限を目的とするものではなく、他のサンプリングレートも使用できることをすでに述べた。
【００７５】
[0092]  特に、フレームのデータペイロード部分に使用されるサンプリングレート（すなわちＰＦＤＣＨ）は、フレームごとに変動することが許可される場合がある。すなわち、図２に示した２０６などの非ペイロード領域は、受信機で認識されている固定されたサンプリングレート（１２．２８８ＭＨｚなど）を使用する。この非ペイロード領域２０６は、同じフレーム２０２のＰＦＤＣＨ２０４に対して使用されるサンプリングレートに関して受信機に通知する制御情報をシグナリングすることができる。図６は、この制御信号の例を示している。フレーム５５０で、ＰＦＤＣＨ５５４に使用される１２．２８８ＭＨｚのサンプリングレートは、非ペイロード領域５５２の制御情報を介してシグナリングされる。フレーム５６０で、ＰＦＤＣＨ５６４に対して使用される１８．４３２ＭＨｚのサンプリングレートは、非ペイロード領域５６２の制御情報を介してシグナリングされる。フレーム５７０で、ＰＦＤＣＨ５７４に対して使用される１５．３６ＭＨｚのサンプリングレートは、非ペイロード領域５７２の制御情報を介してシグナリングされる。
【００７６】
[0093]  図６は、実例を示すことのみを意図するものであり、他のサンプリングレートの使用およびシグナリングは排除されない。別の実施形態では、ＰＦＤＣＨサンプリングレートは、固定されたパターンに従う場合がある。たとえば、奇数のフレームのＰＦＤＣＨは、１２．２８８ＭＨｚなど、より低いサンプリングレートを使用することができる一方、偶数のフレームのＰＦＤＣＨは、１８．４３２ＭＨｚなど、より高いサンプリングレートを使用することができる。これは、事前に決定するか、または受信するデバイスにシグナリングすることができる。さらに別の実施形態では、受信されたＰＦＤＣＨに対して使用されるサンプリングレートは、同じフレーム内に含まれる制御信号に含まれているのではなく、受信機に別々にシグナリングすることができる。
サイクリックプレフィックスへの過剰なサンプルの配布
【００７７】
[0094]  物理的な意味では、ＰＦＤＣＨは、時間領域においていくつかの連続するサンプルから構成される。このサンプルの数は、同じフレームの非ペイロード領域におけるサンプルの長さを引いた、１フレームにおけるサンプルの総数と等しい。たとえば、１２．２８８ＭＨｚという例示的なサンプリング周波数および１秒という例示的なフレーム長に対して１２２８万８０００のサンプルがある場合がある。
【００７８】
[0095]  ＰＦＤＣＨ内に含まれているＯＦＤＭシンボルの長さが決定された後、これらのＯＦＤＭシンボルによって消費されたサンプルの総数は、ＰＦＤＣＨに割り当てられたサンプルの総数未満の場合がある可能性が高い。以前に記述したようなＰＦＤＣＨ区画に依存して、異なるＰＰＤＣＨに属するＯＦＤＭシンボルは、異なるＦＦＴサイズおよび／またはサイクリックプレフィックス長のために、異なる長さを持つ場合があり、それらの長さの合計が、ＰＦＤＣＨによって消費されると予想されるサンプルの数と正確に等しいことを保証するのが不可能な作業である可能性がある。しかし、ＦＦＴサイズの選択、サイクリックプレフィックス長の選択、および／または複数のＰＰＤＣＨへのＰＦＤＣＨ区画に制約をかけることは不得策である。その理由は、これは、特定のワイヤレスフレームの構成に対して望まれる柔軟性を著しく低下させるためである。過剰なサンプルを使い切る方法が必要である。
【００７９】
[0096]  特定のＰＦＤＣＨに対して扱われる過剰なサンプルの正確な数（Nexcess）は、以下のように計算することができる。
【００８０】
【数３】
2020005288.tif 000008
ここで、Ｎｐａｙｌｏａｄは、ＰＦＤＣＨに割り当てられるサンプルの数である。Ｎｓｙｍは、ＰＦＤＣＨにおけるＯＦＤＭシンボルの総数である（ＯＦＤＭシンボルのインデックスは０で始まる）。Ｎｉは、ｉ番目のＯＦＤＭシンボルにおけるサンプルの数である（対応するＦＦＴサイズにサンプルの指定されたサイクリックプレフィックス長を加えたものに等しい）。（異なるＦＦＴサイズおよび／またはサイクリックプレフィックス長を持つ）複数のＰＰＤＣＨが存在する場合、ＰＦＤＣＨのＯＦＤＭシンボルのすべてが同じサイズだとは限らない場合があることに注意されたい。
【００８１】
[0097]  上記の等式は、以下のように簡素化することができる。
【００８２】
【数４】
2020005288.tif 000009
ここで、Ｎｐａｙｌｏａｄは、ＰＦＤＣＨに割り当てられたサンプルの数である。ＮＰＰＤＣＨは、ＰＦＤＣＨにおけるＰＰＤＣＨの総数である（ＰＰＤＣＨのインデックスは０で始まる）。Ｎｐ，ｓｙｍは、ｐ番目のＰＰＤＣＨに対して構成されたＯＦＤＭシンボルの総数である。Ｎｐ，ＦＦＴは、ｐ番目のＰＰＤＣＨに対して構成されたＦＦＴサイズである。Ｎｐ，ＣＰは、ｐ番目のＰＰＤＣＨに対して構成されたサンプルのサイクリックプレフィックス長である。
【００８３】
[0098]  図７は、過剰なサンプル６０２を配布するための１つの例示的な実施形態を示している。特に、
ＰＦＤＣＨ内の最初のＮｅｘｃｅｓｓ  ｍｏｄ  Ｎｓｙｍ  ＯＦＤＭシンボルに対するサイクリックプレフィックス長６０４は、［Ｎｅｘｃｅｓｓ／Ｎｓｙｍ］サンプル６０６によってそれぞれ拡張される。加えて、ＰＦＤＣＨ内の最後のＮｓｙｍ−（Nexcess mod Nsym）ＯＦＤＭシンボルに対するサイクリックプレフィックス長６０４は、［Nexcess/Nsym］サンプル６０６によってそれぞれ拡張される。
【００８４】
[0099]  また、ＰＦＤＣＨ内のＯＦＤＭシンボルで過剰なサンプルを配布するための他の実施形態が可能であることを理解されたい。たとえば、値Ｎ（ここでＮ＜Ｎｓｙｍ）は、シグナリングされるか、または事前に決定される場合がある。過剰なサンプルを配布するために、
ＰＦＤＣＨ内の最初のＮ個のＯＦＤＭシンボルに対するサイクリックプレフィックス長は、［Ｎｅｘｃｅｓｓ／Ｎ］サンプルによってそれぞれ拡張される。加えて、
ＰＦＤＣＨ  ＯＦＤＭシンボルＮ＋１に対するサイクリックプレフィックス長は、Ｎｅｘｃｅｓｓ−Ｎ×［Ｎｅｘｃｅｓｓ／Ｎ］サンプルによって拡張される。
【００８５】
[00100]  過剰なＰＦＤＣＨサンプルを配布するためのさらなる追加の実施形態が容易に導き出すことができることは当業者には理解されるであろう。
ペイロードの構造およびマッピング
【００８６】
[00101]  この節では、ワイヤレスフレームのＰＦＤＣＨがどのように構造化されるか、ペイロード区画（PPDCH）がどのように指定されるか、ＰＳＤＣＨがどのように特定の物理リソースにマッピングされるかなどに関して詳細に規定する。よって、この節の内容は、以前に紹介された概念に基礎を置いている。
【００８７】
[00102]  設計の背後にある重要な要素は、論理リソースに仮想リソースをマッピングし、次いで、物理リソースに論理リソースをマッピングするという概念である。
ペイロード区画のマッピング
【００８８】
[00103]  物理的な意味では、ＰＦＤＣＨは、時間領域においていくつかの連続するサンプルから構成される。このサンプルの数は、フレームの非ペイロード領域における１つのフレームのサンプルの総数と等しい。たとえば、１２．２８８ＭＨｚという例示的なサンプリング周波数および１秒という例示的なフレーム長に対して１２２８万８０００のサンプルがある場合がある。
【００８９】
[00104]  論理的な意味では、ＰＦＤＣＨは、時間領域におけるいくつかのＯＦＤＭシンボルおよび周波数領域におけるいくつかのサブキャリアからなる。サイクリックプレフィックスへの過剰なサンプル配布前のＰＦＤＣＨ内のすべてのＯＦＤＭシンボルのサンプルの長さの合計は、上に計算したようにＰＦＤＣＨに利用可能なサンプルの数以下でなければならない。
【００９０】
[00105]  同じＰＰＤＣＨに属するＯＦＤＭシンボルは、サイクリックプレフィックスへの過剰なサンプル配布に従って、本質的に同じ長さを持つが、異なるＰＰＤＣＨに属するＯＦＤＭシンボルは、異なる長さを持つ場合がある。結果的に、ＰＦＤＣＨ内のすべてのＯＦＤＭシンボルは、必ず同じ長さを持つとは限らない。
【００９１】
[00106]  同様に、周波数領域におけるサブキャリアの数は、システム帯域幅およびサブキャリア間隔の関数である。サブキャリア間隔は、選択されたＦＦＴサイズおよびサンプリング周波数に依存し、したがって、別個のＦＦＴサイズが２つのＰＰＤＣＨに対して構成されている場合、ＰＰＤＣＨによって変動する場合がある。
【００９２】
[00107]  異なるＰＰＤＣＨは、時間および／または周波数で多重化され得る。
【００９３】
[00108]  各ＰＰＤＣＨは、インデックス（たとえばＰＰＤＣＨ＃０、ＰＰＤＣＨ＃１）を介して参照することができるため、ＰＳＤＣＨは、特定のＰＰＤＣＨに割り当てられ得る。
【００９４】
[00109]  ＰＰＤＣＨに割り当てられた正確な物理リソースは、以下に示す例示的な量の組を介して指定することができる。
ＰＰＤＣＨ内の各ＯＦＤＭシンボルの長さを決定する、ＦＦＴサイズおよびサイクリックプレフィックス長、時間次元においてＰＰＤＣＨに割り当てられる物理リソース、および周波数次元においてＰＰＤＣＨに割り当てられる物理リソース。
時間次元におけるＰＰＤＣＨ物理リソースの指定
【００９５】
[00110]  時間次元では、特定のＰＰＤＣＨは、以下の例示的な量を介して定義することができる。
このＰＰＤＣＨに割り当てられるＯＦＤＭシンボルの総数、このＰＰＤＣＨに対するＰＦＤＣＨ内の絶対的なＯＦＤＭシンボルの開始位置（インデックスは０で始まる）、このＰＰＤＣＨに対するＯＦＤＭシンボルクラスタの定期性、およびこのＰＰＤＣＨに対するＯＦＤＭシンボルクラスタごとに割り当てられた連続するＯＦＤＭシンボルの数。
【００９６】
[00111]  所与のＰＰＤＣＨに割り当てられたＯＦＤＭシンボルの総数が、このＰＰＤＣＨに対するＯＦＤＭシンボルクラスタ期間ごとに割り当てられた連続するＯＦＤＭシンボルの数の整数倍であるという要件はない。
実例として、表４は、図３Ａおよび図３Ｂに示した例示的なペイロード区画に対応する例示的なパラメータ設定を示し、（時間次元で）３つの同じサイズのＰＰＤＣＨがある。ここでは、３つのＰＰＤＣＨの間には厳密な時間分割がある。その結果、ＰＦＤＣＨは、この例では合計４４０＋２３２＋６０＝７３２のＯＦＤＭシンボルを含む。特に、ＰＰＤＣＨ＃０は、ＯＦＤＭシンボル０から４３９を含み、各々の長さは９２１６サンプルであり、ＰＰＤＣＨ＃１は、ＯＦＤＭシンボル４４０から６７１を含み、各々の長さは１７４０８サンプルであり、ＰＰＤＣＨ＃２は、ＯＦＤＭシンボル６７２から７３１を含み、各々の長さは６６５６０サンプルである。
【００９７】
[00112]  この例では、また、いくつかの追加的な過剰なサンプルがあり、これは様々なＯＦＤＭシンボルのサイクリックプレフィックスに配布することができることに注意されたい。
【００９８】
【表４】
2020005288.tif 000010
【００９９】
[00113]  別の実例では、フレーム構造が図４の下部に示されている。表５は、図４Ａおよび図４Ｂに示したフレーム構造が得られる例示的なＰＰＤＣＨパラメータを示している。この例では、ＰＦＤＣＨは、合計７５４個のＯＦＤＭシンボルを含む。特に、
ＰＰＤＣＨ＃０は、ＯＦＤＭシンボル０〜１５、２６〜４１、５２〜６７、．．．、７２８〜７４３を含む。ＰＰＤＣＨ＃１は、ＯＦＤＭシンボル１６〜２３、４２〜４９、６８〜７５、．．．、７４４〜７５１を含む。ＰＰＤＣＨ＃２は、ＯＦＤＭシンボル２４〜２５、５０〜５１、７６〜７７、．．．、７５２〜７５３を含む。
【０１００】
【表５】
2020005288.tif 000011
【０１０１】
[00114]  異なるＰＰＤＣＨは、同じＯＦＤＭシンボルクラスタの定期性を持つこと、複数のＰＰＤＣＨは、それらの長さ全体を通じて同一に時間インタリーブされることという要件はないことに注意されたい。たとえば、表５では、ＰＰＤＣＨ＃０は、よりマクロな意味で相互にインタリーブすることができる２つのＰＰＤＣＨ（＃０Ａおよび＃０Ｂ）に分割することができる。表６は、そのような構成の例を示している。特に、ＰＰＤＣＨ＃０Ａは、ＯＦＤＭシンボル０〜１５、５２〜６７、１０４〜１１９、．．．、６７２〜６８７、７２８〜７４３を含み、ＰＰＤＣＨ＃０Ｂは、ＯＦＤＭシンボル２６〜４１、７８〜９３、１３０〜１４５、．．．、６４６〜６６１、７０２〜７１７を含み、ＰＰＤＣＨ＃１は、ＯＦＤＭシンボル１６〜２３、４２〜４９、６８〜７５、．．．、７４４〜７５１を含み、ＰＰＤＣＨ＃２は、ＯＦＤＭシンボル２４〜２５、５０〜５１、７６〜７７、．．．、７５２〜７５３を含む。
あるいは、２つのＰＰＤＣＨは、それぞれだいたいＰＦＤＣＨの第１および第２の半分を占める場合がある。表７は、そのような構成の例を示している。特に、ＰＰＤＣＨ＃０Ａは、ＯＦＤＭシンボル０〜１５、２６〜４１、５２〜６７、．．．、３３８〜３５３、３６４〜３７９を含み、ＰＰＤＣＨ＃０Ｂは、ＯＦＤＭシンボル３９０〜４０５、４１６〜４３１、．．．、７０２〜７１７、７２８〜７４３を含み、ＰＰＤＣＨ＃１は、ＯＦＤＭシンボル１６〜２３、４２〜４９、６８〜７５、．．．、７４４〜７５１を含み、ＰＰＤＣＨ＃２は、ＯＦＤＭシンボル２４〜２５、５０〜５１、７６〜７７、．．．、７５２〜７５３を含む。
【０１０２】
【表６】
2020005288.tif 000012
【０１０３】
【表７】
2020005288.tif 000013
周波数次元におけるＰＰＤＣＨ物理リソースの指定
【０１０４】
[00115]  各ＯＦＤＭシンボル内のサブキャリアは、有益なサブキャリアおよび有益でないサブキャリアに分割することができる。有益なサブキャリアは、有益でないサブキャリアであるＤＣサブキャリアを例外として、保護帯域を引いたシステムの帯域幅内に位置する。有益でないサブキャリアは、保護帯域を引いたシステムの帯域幅の外部に位置する。
【０１０５】
[00116]  有益なサブキャリアの正確な数は、ＦＦＴサイズおよびサンプリング周波数の関数であり、これらはサブキャリア間隔およびシステムの帯域幅をともに決定する。
【０１０６】
[00117]  図８は、有益なサブキャリアおよび有益でないサブキャリアに関係する追加の詳細を示している。完全なＩＦＦＴ／ＦＦＴ範囲（サイズ）７０２内では、有益なサブキャリア７０４は、ＤＣサブキャリア７０８を例外として、保護帯域を引いたシステムの帯域幅７０６内に位置するものである。有益でないサブキャリア７１０は、保護帯域を引いたシステムの帯域幅の外部に位置する。
【０１０７】
[00118]  ＯＦＤＭシンボルのすべての有益なサブキャリアがＰＰＤＣＨに明示的に割り当てられるという要件はない。各有益なリソース要素は、最大１つのＰＰＤＣＨにのみ割り当てられ得ることに注意されたい。ＰＰＤＣＨに関連付けられていない有益なリソース要素は、０の値を割り当てられ得る。有益でないサブキャリアは、また、０の値を割り当てられ得る。
【０１０８】
[00119]  周波数次元では、特定のＰＰＤＣＨは、特定の量を介して定義することができる。たとえば、特定のＰＰＤＣＨは、このＰＰＤＣＨに属するいくつかの有益なサブキャリアによって定義することができる。この量は、ＯＦＤＭシンボルごとのすべての有益なサブキャリアの総数以下でなければならない。これは、周波数次元ではＰＰＤＣＨの実際のサイズを指定する。ＤＣサブキャリアは、有益なサブキャリアであると考えられないため、ＤＣサブキャリアが、特定のＰＰＤＣＨ内に位置する場合、そのサブキャリアは、そのＰＰＤＣＨに属する有益なサブキャリアの数に対して数えられないことを理解されたい。一例では、特定のＰＰＤＣＨは、このＰＰＤＣＨに属する第１のサブキャリアの絶対的なインデックスによって定義することができる。サブキャリアは、０で始まり、サブキャリアの総数引く１（すなわち、ＦＦＴサイズ引く１）に向けて連続的に上向きに進むようにインデックスすることができる。したがって、サブキャリア０は、本質的に最低周波数サブキャリアである。
【０１０９】
[00120]  複数のＰＰＤＣＨは、周波数次元において相互に隣同士に多重化することができる。しかし、周波数次元では、ＰＰＤＣＨの実際のインタリーブはない。すなわち、周波数次元では、各ＰＰＤＣＨは、物理的なサブキャリアの隣接する組を占める。
【０１１０】
[00121]  図９は、周波数次元で相互に隣同士に多重化された２つのＰＰＤＣＨ８０２および８０４の例を示している。有益なサブキャリアの約２／３は、ＰＰＤＣＨ＃０  ８０２に割り当てられ、有益なサブキャリアの残りの１／３は、ＰＰＤＣＨ＃１  ８０４に割り当てられる。表８は、図９に示した２つの例示的なＰＰＤＣＨ８０２および８０４に対する周波数次元において対応するＰＰＤＣＨパラメータを含む。この例では、両方のＰＰＤＣＨは、同じＦＦＴサイズおよびサイクリックプレフィックス長を使用するように構成されている。
【０１１１】
【表８】
2020005288.tif 000014
ＰＰＤＣＨ内のＰＳＤＣＨマッピング
【０１１２】
[00122]  ＰＳＤＣＨは、それらの割り当てられたＰＰＤＣＨ内の仮想リソースにマッピングされ、次に、仮想リソースは、同じＰＰＤＣＨ内の論理リソースにマッピングされ、次いで、各ＰＰＤＣＨの論理リソースは、ＰＦＤＣＨ内の実際の物理リソースにマッピングされる。このプロセスは、以下の節に詳細に記述されている。
ＰＰＤＣＨに対する論理リソース
【０１１３】
[00123]  特定のＰＰＤＣＨが対応する物理リソースにどのように関連付けられているかについて以前に記述した。正確にどの物理リソースがＰＰＤＣＨに属するかにかかわらず、図１０に示したように、ＰＰＤＣＨの論理リソースは、周波数次元と時間次元の両方で隣接していると考えられ得る。ここでは、ＰＰＤＣＨ９０２の論理的なサブキャリア９０４は、最低周波数である、図の左側の０で番号が始まり、連続的に上向きに右方向に進む。同様に、ＰＰＤＣＨ９０２の論理的なＯＦＤＭシンボル９０６は、最も早い時間である、図の一番上の０で番号が始まり、時間を通じて前方に移動して連続的に上向きに進み、図の下部に進む。
【０１１４】
[00124]  図１１では、ＰＰＤＣＨのコンテンツに対する追加の論理リソース概念を紹介する。ストライプは、周波数次元において１つのサブキャリアを測定し、時間次元において、ＰＰＤＣＨの全持続時間またはＯＦＤＭシンボルのすべてを通じて実行するリソースの組である。ストライプは、周波数次元においてサブバンドへとグループ化され、周波数次元における各サブバンドのサブバンド幅は、ＰＰＤＣＨに対して指定されたストライプの数と等しい。各論理的なサブバンドは、図に示すように、４つの論理的なサブバンド１００４、１００６、１００８、および１０１０を示す、いくつかの論理的なストライプからなり、各々は１０個の論理的なストライプからなる。ＰＰＤＣＨの論理リソース内の特定のストライプ１００２は、論理的なサブバンドインデックス１００６およびその論理的なサブバンド１００６内の論理的なストライプインデックス１００２を介して参照することができる。図１１に示すように、論理的なサブキャリアは、左の最低周波数サブキャリアから開始し、右向きに移動しながら周波数を上向きに進むことができる。論理的なサブバンドは、０で始まるようにインデックスされ、周波数とともに連続的に上向きに進む。
【０１１５】
[00125]  ＰＰＤＣＨに割り当てられた有益なサブキャリアの数は、その同じＰＰＤＣＨに対するサブバンド幅の整数倍でなければならないという制約があるため、各ＰＰＤＣＨは、常に整数個のサブバンドを含む。しかし、ＰＰＤＣＨ割り当てがサブバンド０で始まる、またはサブバンドＮ−１で終わるという要件はない。一例では、システムは、スペクトル共有を促進するためにバンドエッジで選択的にサブバンドを減らすか、または他の方法で、規定されたスペクトルマスクに関する帯域外発射を抑制する。
ＰＰＤＣＨに対する仮想リソース
【０１１６】
[00126]  いくつかの論理的なストライプを含む各論理的なサブバンドに対応するのは、同数の仮想的なストライプを含む同じサイズの仮想的なサブバンドである。各サブバンド内では、ＯＦＤＭシンボルごとに仮想的なストライプから論理的なストライプへと１対１のマッピングが存在する。これは、論理的なストライプを取得するために、仮想的なストライプを混ぜることと概念的に同等であると考えられ得る。仮想的なサブバンドは、対応する論理的なサブバンドと同じインデックスを持っている。
【０１１７】
[00127]  図１２は、論理的なサブバンドに属する論理的なストライプへの仮想的なサブバンドに属する仮想的なストライプのマッピングの例を示している。ここでは、各サブバンドの幅は、１０ストライプ（WSB＝10）である。上部で仮想的なサブバンド１１０２に属する１０個の仮想的なストライプ１１０６は、下部で論理的なサブバンド１１０４に属する１０個の論理的なストライプ１１１０に１対１のストライプマッピング１１０８を持っている。ストライプマッピング１１０８は、現在の論理的なＯＦＤＭシンボルインデックス１１１２に依存し、したがって、１つの論理的なＯＦＤＭシンボルから次のものへと変動する場合がある。
【０１１８】
[00128]  表９は、例示的な仮想的から論理的へのストライプマッピングを含み、表１０は、対応する例示的な論理的から仮想的へのストライプマッピングを含む。ストライプマッピングは、論理的なＯＦＤＭシンボルインデックスの関数として変動する場合があり、この例では時間次元においてＰＳＭ＝１０の定期性を持つことを理解されたい。一般性を損なうことなく、仮想的なストライプ＃０は、参照シンボルまたはパイロットシンボルに対して常に予約されていることを想定することができる。表１０では、参照シンボルを含む論理的なストライプ（すなわち、仮想的なストライプ＃０にマッピングされる）は、この例で使用されている参照シンボルパターンを示すために、太字で強調表示されている。この例では、参照シンボルパターンは、５つの論理的なＯＦＤＭシンボルごとに繰り返す一方、データストライプマッピングパターンは、１０個の論理的なＯＦＤＭシンボルごとに繰り返す。
【０１１９】
[00129]  表９では、論理的なＯＦＤＭシンボルインデックス、または行インデックス、および仮想的なストライプインデックス、または列インデックスは、論理的なＯＦＤＭシンボルのその特定の対に対する論理的なストライプインデックスおよび仮想的なストライプインデックスに対応する表の項目を決定するために使用することができる。反対に、表１０では、論理的なＯＦＤＭシンボルインデックス、または行インデックス、および論理的なストライプインデックス、または列インデックスは、論理的なＯＦＤＭシンボルのその特定の対に対する仮想的なストライプインデックスおよび論理的なストライプインデックスに対応する表の項目を決定するために使用することができる。
【０１２０】
【表９】
2020005288.tif 000015
【０１２１】
【表１０】
2020005288.tif 000016
【０１２２】
[00131]  一例では、各ＰＰＤＣＨに対するパラメータの組は、１つまたは複数の量を含む。たとえば、パラメータの組は、周波数次元にサブバンド幅を含むことができ、これはストライプまたはサブキャリアの単位の場合がある。一例では、パラメータの組は、時間次元にストライプマッピングの定期性をさらに含むことができ、これは論理的なＯＦＤＭシンボルの単位の場合がある。ＰＰＤＣＨの論理的なＯＦＤＭシンボルの数は、ストライプマッピングの定期性の整数倍であることは必要とされないことを理解されたい。一例では、パラメータの組は、ストライプマッピングをさらに含むことができ、これは、サブバンド幅と等しい列の数、およびストライプマッピングの定期性と等しい行の数を持つ表の形をしている場合がある。あるいは、以下の節に記述したようなストライプマッピングをシグナリングする、より簡潔な形式を使用することができる。
【０１２３】
[00132]  仮想的なＯＦＤＭシンボルは、論理的なＯＦＤＭシンボルと本質的に直接的に同等であるので、仮想的なＯＦＤＭシンボルの概念は定義されていないことを理解されたい。たとえば、仮想的なＯＦＤＭシンボル＃Ｎは、論理的なＯＦＤＭシンボル＃Ｎと同じである。
論理的から仮想的へのストライプマッピングの簡潔なシグナリング
【０１２４】
[00133]  一例では、無線を通じて完全な論理的から仮想的へのストライプマッピングをシグナリングすると、ＰＰＤＣＨごとに送信される必要があるストライプマッピング表の潜在的なサイズにより、制限されたワイヤレスリソースが非効率的に使用されることになる。したがって、使用されるストライプマッピングを受信機にシグナリングする例示的なより簡潔な形式について記述する。次に、この簡潔なシグナリングは、完全な論理的から仮想的へのストライプマッピング表をＰＰＤＣＨごとに受信機で構築することを可能にする。
【０１２５】
[00134]  優れた仮想的⇔論理的のストライプマッピングに対する望ましい２つの要件は、以下のとおりである。第１に、
ストライプマッピングは、分散された参照シンボルを持つ能力をサポートするべきである。たとえば、ストライプマッピングは、異なる論理的なＯＦＤＭシンボルにおいて異なる論理的なストライプに参照シンボルをマッピングする能力をサポートするべきである。第２に、ストライプマッピングは、他の仮想データストライプより優れたチャネル推定を一貫して持つ一部の仮想データストライプを回避するために、参照シンボルに隣接している論理的なストライプにマッピングされる仮想データストライプを変動させるべきである。
【０１２６】
[00135]  一例では、各ＰＰＤＣＨに対するストライプマッピングアルゴリズムは、いくつかの量を含む場合があり、これにより無線を通じてシグナリングする必要がある情報の量が減る。たとえば、
ストライプマッピングの定期性（PSM）は、以前に定義されたのと同じ量の場合がある。参照シンボルの論理的なストライプマッピングの位置（LRS（k））のベクトルは、ストライプマッピングの定期性と等しい長さを持つことができる。各ＯＦＤＭシンボルｋ（ＰＳＭを法とする）について、これは、（参照シンボルを含む）仮想的なストライプ０がマッピングする論理的なストライプを指定する。これにより、参照シンボルの位置は、シンボルごとにＯＦＤＭシンボルで変動させられることが可能になる。ストライプ回転のベクトルは、ストライプマッピングの定期性と等しい長さの値を持つことができる。各ＯＦＤＭシンボルｋ（ＰＳＭを法とする）に対して。これは、論理的なストライプインデックスを取得するために、仮想的なストライプ０以外の仮想的なストライプまたは参照シンボル以外のデータを運ぶ仮想的なストライプのすべてのいずれかに「回転」が適用されるように指定する。この量は、ＲＶＬ（k）、または仮想的なストライプインデックスを取得するために、参照シンボルを運ぶ論理的なストライプＬＲＳ（k）以外の論理的なストライプ（または参照シンボル以外のデータを運ぶ論理的なストライプのすべて）と呼ばれる場合がある。この量はＲＬＶ（k）と呼ばれる場合がある。
【０１２７】
[00136]  表１１は、表９および表１０に対応する例に対するストライプマッピングを指定する簡潔な形式を含む。この例については、ストライプマッピングの定期性はＰＳＭ＝１０であり、サブバンドの幅はＷＳＢ＝１０であることを思い出すこと。加えて、仮想的から論理的および論理的から仮想的へのストライプ回転は、以下のように表現することができる。
式（５）
ＲＶＬ（k）＋ＲＬＶ（k）＝ＷＳＢ−１
【０１２８】
【表１１】
2020005288.tif 000017
【０１２９】
[00137]  図１３は、仮想的から論理的へのストライプ回転がどのように機能するかについての概念的なビューを示している。この例は、表１１からモジュロの論理的なＯＦＤＭシンボルｋ＝６に対応する。見られるように、仮想的なストライプ０  １２０２の参照シンボルは、論理的なストライプＬＲＳ（k）＝４  １２０４に真っすぐに通り抜けてマッピングされる。ＲＶＬ（k）＝８の回転（ＷＳＢ＝１０を法とする）は、データの仮想的なストライプ１２０６に適用される。次に、回転されたデータの仮想的なストライプ１２０８は、利用可能な論理的なストライプ１２１０に本質的に真っすぐに通り抜けてマッピングされ、これは、参照シンボルによってすでに占められている論理的なストライプ＃４  １２０４を例外として、論理的なストライプのすべてを含む。
【０１３０】
[00138]  図１４は、対応する論理的から仮想的へのストライプ回転および表１１からモジュロの論理的なＯＦＤＭシンボルｋ＝６に対するマッピングを示している。ここでは、参照シンボルＬＲＳ（k）＝４  １３０２を運ぶ論理的なストライプは抽出され、仮想的なストライプ＃０  １３０４にマッピングされる。ＲＬＶ（k）＝１の回転モジュロＷＳＢ＝１０は、データの論理的なストライプ１３０８に適用され、次いで、これらの回転されたデータの論理的なストライプ１３１０は、＃９を通じてデータの仮想的なストライプ１３１２＃１に真っすぐに通り抜けてマッピングされる。
【０１３１】
[00139]  ｋは、ストライプマッピングの定期性（PSM）を法とする論理的なＯＦＤＭシンボルインデックスとし、これはこの例では１０と等しい。送信機で、モジュロシンボルｋに対する参照シンボルは、仮想的なストライプインデックス０から、表に示した対応する論理的なストライプインデックスＬＲＳ（k）（0≦LRS（k）＜WSB）にマッピングされる。
式（６）
ＳＬ（k，LRS（k））＝ＳＶ（k，0）
受信機で、このプロセスが逆転され、モジュロシンボルｋに対する参照シンボルは、表に示された対応する論理的なストライプインデックスＬＲＳ（k）から、仮想的なストライプインデックス０にマッピングされる。
式（７）
ＳＶ（k，0）＝ＳＬ（k，LRS（k））
送信機での仮想的から論理的へのデータストライプマッピングについて、以下の例示的な手順が従われ得る。ＳＶ（k，i）（０＜SV（k，i）＜WSB）およびＳＬ（k，i）（0≦SL（k，i）＜ＷＳＢおよびＳＬ（k，i）≠ＬＲＳ（k））は、モジュロシンボルｋ（0≦k＜PSM）に対して相互にマッピングする仮想的および論理的なストライプインデックスの対応する対を表しているとする。ＲＶＬ（ｋ）（0≦RVL（k）＜ＷＳＢおよびＲＶＬ（k）≠（LRS（k）＋WSB−1）mod WSB）は、モジュロシンボルｋに対するデータに対する仮想的から論理的へのストライプ回転を表しているとする。次に、特定の仮想的なデータストライプインデックスＳＶ（k，i）（0＜i＜WSB）に対応する論理的なデータストライプインデックスＳＬ（k、i）は、以下のように計算することができる。有効なストライプマッピングについて、ＲＶＬ（k）≠（LRS（k）＋WSB-1）ｍｏｄ  ＷＳＢは、すべてのｋに対してＲＶＬ（k）＋１≠ＬＲＳ（k）という意味であることに注意すること。
【０１３２】
【数５】
2020005288.tif 000018
式（９）
ＳＶ（k，i）＝ｉ
【０１３３】
【数６】
2020005288.tif 000019
【０１３４】
【数７】
2020005288.tif 000020
【０１３５】
[00140]  受信機で、次に、下に示すように、特定の論理的なデータストライプインデックスＳＬ（k，i）（0≦i＜WSBおよびi≠LRS（k））に対応する仮想的なデータストライプインデックスＳＶ（k、i）を計算することができる。ＲＬＶ（k）＝ＷＳＢ−ＲＶＬ（k）−１は、モジュロシンボルｋに対するデータに対する仮想的から論理的へのストライプ回転を表している。
式（１２）
x（k）＝WSB−RLV（k）
ｉ＝０．．．ＷＳＢ−１およびｉ＝ＬＲＳ（k）
式（１３）
ＳＬ（k，i）＝ｉ
ｘ（k）＜ＬＲＳ（k）の場合、
【０１３６】
【数８】
2020005288.tif 000021
反対に、ｘ（k）≧ＬＲＳ（k）の場合、
【０１３７】
【数９】
2020005288.tif 000022
【０１３８】
[00141]  表１２は、ＰＦＤＣＨ内の各ＰＰＤＣＨに提供される必要があるパラメータのリストを要約している。
【０１３９】
【表１２】
2020005288.tif 000023
仮想リソースへのＰＳＤＣＨのマッピング
【０１４０】
[00142]  仮想的なストライプ＃０は、参照シンボルに対して常に予約することができる。仮想的なストライプ＃０は、任意の望まれる論理的なストライプにマッピングすることができるので、これは一般性の損失にはならない。
【０１４１】
[00143]  参照シンボル密度は、サブバンド幅の逆数として容易に計算することができる。サブバンド幅１０を用いる上に示した例では、参照シンボル密度は１０％である。反対に、望まれる参照シンボル密度は、また、構成するべき適切なサブバンド幅を取得するために使用することができる。
【０１４２】
[00144]  サブバンドブロックは、時間次元において１つのＯＦＤＭシンボルによって周波数次元における１つのサブバンドを測定するリソース要素の組として定義される。リソースは、サブバンドブロックの単位でＰＳＤＣＨに割り当てら得て、各仮想的なサブバンド内の仮想的なストライプのサブセットは、特定のＰＳＤＣＨに割り当てられ得る。
【０１４３】
[00145]  仮想リソースは、以下のパラメータを介してＰＳＤＣＨに割り当てられ得る。このＰＳＤＣＨに割り当てられるサブバンドブロックの総数、このＰＳＤＣＨに割り当てられる最初のサブバンドブロックのサブバンドインデックス、サブバンドクラスタサイズまたはこのＰＳＤＣＨに割り当てられるサブバンドクラスタ期間ごとの連続するサブバンドブロックの数、論理的なＯＦＤＭシンボルに対する最初のサブバンドは、先行する論理的なＯＦＤＭシンボルに対する最後のサブバンドに連続すると考えられる、このＰＳＤＣＨに割り当てられる連続するサブバンドクラスタの定期性を指定する、このＰＳＤＣＨに対するサブバンドクラスタ定期性、このＰＳＤＣＨに対する仮想的なサブバンド内の最初の割り当てられた仮想的なストライプのインデックス、このＰＳＤＣＨに対する仮想的なサブバンド内の連続する割り当てられた仮想的なストライプのストライプクラスタサイズまたは数、このＰＳＤＣＨによって占められる最初の論理的なＯＦＤＭシンボルのインデックス、このＰＳＤＣＨによって占められる論理的なＯＦＤＭシンボルクラスタごとの論理的なＯＦＤＭシンボルクラスタサイズまたは連続する論理的なＯＦＤＭシンボルの数、およびこのＰＳＤＣＨに対する論理的なＯＦＤＭシンボルクラスタ定期性。
【０１４４】
[00146]  ＰＳＤＣＨに割り当てられたリソース要素の総数は、割り当てられたサブバンドブロックの総数に、仮想的なサブバンド内の連続する割り当てられた仮想的なストライプの数をかけることによって取得することができることを理解されたい。
【０１４５】
[00147]  図１５は、ＰＰＤＣＨ内の仮想のリソースの組へＰＳＤＣＨをマッピングするために、どのように上記のパラメータを使用することができるかを示している。表１３は、図１５に示した例示的なＰＳＤＣＨマッピングに対応するパラメータを含む。この例では、このＰＳＤＣＨに割り当てられたリソース要素の総数は、１６、または割り当てられたサブバンドブロックの総数に４をかけた数、または仮想的なサブバンド内の連続する割り当てられた仮想的なストライプの数（６４と等しい）に等しい。図では、サブバンドクラスタ１４０２のすべてではないが大部分が、どのサブバンドがどのサブバンドクラスタに属するかを示すために囲まれている。
【０１４６】
【表１３】
2020005288.tif 000024
【０１４７】
[00148]  ＰＳＤＣＨに対する仮想リソースマッピング内で、変調シンボルは、最初の占められた論理的なＯＦＤＭシンボルの最初の割り当てられたサブバンドブロックの最初の割り当てられた仮想的なストライプで始まるリソース要素にマッピングすることができ、各サブバンドブロック内の仮想的なストライプによって、次に、同じ論理的なＯＦＤＭシンボル内のサブバンドブロックによって、最後に論理的なＯＦＤＭシンボルによって進む。
【０１４８】
[00149]  上記の例では、変調シンボルは、仮想的なサブバンド１および論理的なＯＦＤＭシンボル４の仮想的なストライプ６／７／８／９に、次に、仮想的なサブバンド２および論理的なＯＦＤＭシンボル４の仮想的なストライプ６／７／８／９に、次に、仮想的なサブバンド０およびＯＦＤＭシンボル５の仮想的なストライプ６／７／８／９に、次に、仮想的なサブバンド１およびＯＦＤＭシンボル５の仮想的なストライプ６／７／８／９になど、割り当てられたサブバンドブロックの総数が処理されるまでマッピングされる。
受信機に提供されるフレームコンテンツの記述
【０１４９】
[00150]  一例では、符号化、ＦＦＴサイズなどについての情報を含む、各フレームのペイロードコンテンツのフォーマットに関する情報は、受信機がペイロードコンテンツを処理および復号するのを促進するために受信機に提供される。受信機にこのフォーマット情報を伝達するために使用することができる様々な方法がある。たとえば、ペイロードコンテンツの記述は、図２に示した非ペイロード領域の１つで各フレーム内においてシグナリングすることができる。あるいは、ペイロードコンテンツ構造が、フレームごとの場合よりもゆっくり変動する場合、ペイロードコンテンツの記述は、必要に応じてシグナリングすることができる。
【０１５０】
[00151]  一例では、受信機には、フレームの別個のＰＰＤＣＨの数、およびフレームのＰＳＤＣＨの数が提供される。各ＰＰＤＣＨについて、受信機は、そのＰＰＤＣＨに割り当てられた物理的なリソース、ＦＦＴサイズ、およびサイクリックプレフィックス長がさらに提供される。そのＰＰＤＣＨに割り当てられた物理リソースは、そのＰＰＤＣＨに割り当てられたＯＦＤＭシンボルの数だけでなく、どの特定のシンボルがそのＰＰＤＣＨに割り当てられているかを含む場合がある。別個のＰＰＤＣＨは相互にインタリーブすることができることを理解されたい。各ＰＳＤＣＨについて、受信機は、そのＰＳＤＣＨに関連付けられたサービス、そのＰＳＤＣＨに割り当てられた物理的なリソース、そのＰＳＤＣＨに使用される変調、およびバイト単位のトランスポートブロックサイズをさらに提供される。そのＰＳＤＣＨに関連付けられたサービスは、特定のＰＳＤＣＨが属するデータストリームの流れと見なすことができる。たとえば、特定のテレビ番組は、特定のサービスであると考えられ得る。
【０１５１】
[00152]  表１４、表１５、および表１６は、それぞれ、受信機に提供することができるパラメータフィールドのより詳細な説明を提供する。表１４に記載した１つのＰＦＤＣＨ記述子は、各フレームに必要な場合がある。表１５に記載した１つのＰＰＤＣＨ記述子は、フレームに含まれている各ＰＰＤＣＨに必要な場合がある。表１６に記載した１つのＰＳＤＣＨ記述子は、フレームに含まれている各ＰＳＤＣＨに必要な場合がある。
【０１５２】
【表１４】
2020005288.tif 000025
【０１５３】
【表１５】
2020005288.tif 000026
【０１５４】
【表１６】
2020005288.tif 000027
【０１５５】
[00153]  図１６は、様々な記述子のすべてが、どのように受信機に伝達されるかの例を示している。この例では、フレームごとに単一のＰＦＤＣＨ記述子１５０２が最初に発生し、連結されたＰＰＤＣＨ記述子１５０４のすべてが直ちに続く。このフレームは、たとえば、ｎ＋１個のＰＰＤＣＨを含む。次に、連結されたＰＳＤＣＨ記述子１５０６のすべてがこれに続く。このフレームでは、たとえば、ＰＰＤＣＨ＃０は、ｐ＋１個のＰＳＤＣＨを持ち、ＰＰＤＣＨ＃ｎは、ｑ＋１個のＰＳＤＣＨを持つ。
【０１５６】
[00154]  望まれる場合、図１６に示す記述子の順序は、容易に再配置することができる。たとえば、特定のＰＰＤＣＨに関連付けられたＰＳＤＣＨ記述子は、連結されたＰＰＤＣＨ記述子の群に続いてすべてがともに連結される代わりに、そのＰＰＤＣＨに対する記述子の直後に続く場合がある。
【０１５７】
[00155]  実施形態の１組では、フレームを構築および送信する方法１７００は、図１７に示したアクションを含むことができる。方法１７００は、また、以前に記述した特徴、要素、および実施形態のサブセットを含むことができる。たとえば、方法１７００は、基地局またはアクセスポイントによって実装することができる。
【０１５８】
[00156]  工程１７１０で、基地局のデジタル回路は、動作を実行することができ、動作は、フレームのペイロード領域を構築することを含み、ペイロード領域は、複数の区画を含み、区画の各々は、対応する複数のＯＦＤＭシンボルを含み、各区画は、その区画においてＯＦＤＭシンボルに対する、対応するＦＦＴサイズおよび対応するサイクリックプレフィックスサイズを持つ。
【０１５９】
[00157]  工程１７２０で、基地局の送信機は、ワイヤレスチャネルを通じてフレームを送信することができる。
【０１６０】
[00158]  一部の実施形態では、動作は、また、たとえば、上に様々に記述したように、フレームの非ペイロード領域のシグナリング情報を埋め込むことを含む。シグナリング情報は、区画の各々に対するＦＦＴサイズおよびサイクリックプレフィックスサイズを示している。他の実施形態では、シグナリング情報は、たとえば前のフレームなど、他の場所に埋め込まれ得る。
【０１６１】
[00159]  一部の実施形態では、区画の各々は、参照シンボルなどオーバーヘッドリソース要素の対応する組を含む。これらの実施形態では、上記の動作は、また、フレーム内のオーバーヘッドリソース要素を予約した後、１つまたは複数のサービスデータストリームから区画の各々へのシンボルデータをスケジューリングすることを含むことができる。
【０１６２】
[00160]  異なる区画は、ＦＦＴサイズの異なる値を持つことができ、したがって、サブキャリア間隔の異なる値を持つことができる。たとえば、所与の区画に対するサブキャリア間隔は、その区画に対するＦＦＴサイズに対するサンプル速度の比である。結果的に、異なる区画はユーザデバイスの運動により、異なる量のドップラ耐性、またはドップラ偏移に対する耐性を持つ。たとえば、区画の第１は、モバイルデバイスに送信することを目標とすることができる一方、区画の第２は、固定されたデバイスに送信することを目標とする。したがって、第１の区画に対応するＦＦＴサイズは、第２の区画に対応するＦＦＴサイズより小さいように構成される。これは、第１の区画がより大きなサブキャリア間隔、したがって、モバイルデバイスの運動によるサブキャリアの周波数偏移に対するより大きな耐性を持つことを可能にする。
【０１６３】
[00161]  さらに、異なる区画は、異なるサイクリックプレフィックスサイズ、またはガードインターバル期間を持つことができ、したがって、異なる量の遅延拡散を許容することができる。たとえば、区画の第１は、大きな遅延拡散を持つことが予想されるユーザデバイスの第１の組に送信することを目標とする場合がある一方、区画の第２は、より小さな遅延拡散を持つことが予想されるユーザデバイスの第２の組に送信することを目標とする。したがって、第１の区画に対するサイクリックプレフィックスサイズは、第２の区画に対するサイクリックプレフィックスサイズより大きいように構成される。
【０１６４】
[00162]  所与のユーザデバイスは、ワイヤレス受信機を使用して、送信されたフレームを受信し、ユーザデバイスが割り当てられた区画からＯＦＤＭシンボルを抽出することができる。ＯＦＤＭシンボルは、デジタル情報信号を取得するために復号され、これは次に、ユーザに表示されるか、あるいは出力される。基地局は、各ユーザデバイスまたはユーザデバイスの各タイプにそれが割り当てられている区画をシグナリングすることができる。基地局は、また、各区画で運ばれるサービスのタイプをシグナリングすることができる。区画は、本明細書に様々に記述したように、１つまたは複数のサービスデータストリームを含むことができる。区画が１つを超えるサービスデータストリームを含んでいる場合、ユーザデバイスは、アクセスが許可されているサービスデータストリームの１つまたは複数からＯＦＤＭシンボルを抽出することができる。基地局は、たとえば、ブロードキャストゲートウェイによって提供される許可制御情報に基づいて、ユーザデバイスに、どのサービスデータストリームにアクセスが許可されているかをシグナリングすることができる。
【０１６５】
[00163]  実施形態の１組では、指定された時間的な長さを持つフレームを構成および送信するための方法１８００は、図１８に示したアクションを含むことができる。方法１８００は、また、以前に記述した特徴、要素、および実施形態のサブセットを含むことができる。方法１８００は、たとえば、基地局またはアクセスポイントによって実装することができ、基地局からの送信を構成する際に柔軟性を実現することができる。
【０１６６】
[00164]  工程１８１０で、基地局のデジタル回路は、動作を実行ことができ、動作は、以下のように工程１８１５から１８３０を含む。
【０１６７】
[00165]  工程１８１５で、フレームの１つまたは複数の区画の各々について、デジタル回路は、区画に属するＯＦＤＭシンボルに対する対応するＯＦＤＭシンボル長を決定することができ、ＯＦＤＭシンボル長は、対応するＦＦＴサイズおよび対応するサイクリックプレフィックスサイズに基づき、対応するサイクリックプレフィックスサイズは、対応する最小のガードインターバル期間に基づいてサイズ制約を満たす。
【０１６８】
[00166]  工程１８２０で、デジタル回路は、区画を通じてＯＦＤＭシンボルの結合において、サンプルに関して、ＯＦＤＭシンボル長の合計を計算することができる。
【０１６９】
[00167]  工程１８２５で、デジタル回路は、サンプルに関して、フレームのペイロード領域の合計および長さに基づいて、いくつかの過剰なサンプルを計算することができる。
【０１７０】
[00168]  工程１８３０で、デジタル回路は、フレームを構成することができる。フレームを構築するアクションは、たとえば、結合の各ＯＦＤＭシンボルについて、過剰なサンプルの数およびＯＦＤＭシンボルのインデックスの少なくとも１つを使用して、結合の少なくとも１つのサブセットの正確に１つにＯＦＤＭシンボルを割り当てることと、フレームにＯＦＤＭシンボルを埋め込む前に、結合の少なくとも１つのサブセットの各々において、各ＯＦＤＭシンボルのサイクリックプレフィックスサイズに数を追加することであって、一意の数は、結合の少なくとも１つのサブセットの各々に対して使用されることとを含むことができる。
【０１７１】
[00169]  各ＯＦＤＭシンボルは、サブセットの１つだけに属する。言い換えると、２つのサブセットの交差は無効であり、サブセットのすべての結合は、フレームにおけるＯＦＤＭシンボルのすべての結合である。
【０１７２】
[00170]  一部のケースでは、過剰なサンプルは、利用可能なＯＦＤＭシンボルの間に平等に分割することができるため、完全な結合と等しい１つのサブセットだけがある。他の実施形態では、過剰なサンプルは、ＯＦＤＭシンボルの２つ以上のサブセットに配布することができる。
【０１７３】
[00171]  以前に記述されたとともに、過剰なサンプルの数およびＯＦＤＭシンボルのインデックスの少なくとも１つは、どのサブセットに特定のＯＦＤＭシンボルが配置されるべきかを決定するために使用される。一部の実施形態では、２つの量の１つだけが使用される。
【０１７４】
[00172]  一例では、特定のサブセットについて、そのサブセットのＯＦＤＭシンボルのすべてのサイクリックプレフィックスは、同じ数によってインクリメントすることができる。異なるサブセットは、異なる数を使用することができる。
【０１７５】
[00173]  工程１８３５で、基地局の送信機は、ワイヤレスチャネルを通じてフレームを送信することができる。
【０１７６】
[00174]  一部の実施形態では、フレームを構築するアクションは、また、結合の少なくとも１つのサブセットの１つについて、そのサブセットに対する一意の数をゼロに設定することを含むことができる。
【０１７７】
[00175]  一部の実施形態では、結合の少なくとも１つのサブセットの１つは、結合のＯＦＤＭシンボルの最初の隣接するサブセットを表している。
【０１７８】
[00176]  一部の実施形態では、結合の少なくとも１つのサブセットおよび結合の少なくとも１つのサブセットの各々に対する一意の数は、この送信を受信するリモートデバイスに既知のアルゴリズムにより決定される。
【０１７９】
[00177]  リモートデバイスは、その割り当てられた区画、割り当てられたサービスデータストリームにおける各ＯＦＤＭシンボルに対応する受信されたフレームのサンプルの群を正確に決定するために、フレーム開始、シンボルのプリアンブルの長さ、ペイロード領域の開始、構成されたＦＦＴサイズおよびサイクリックプレフィックス長、ならびにＰＦＤＣＨ長さなど、他の情報とともにサブセットについての情報を使用する。
【０１８０】
[00178]  実施形態の１組では、指定された時間的な長さを持つフレームを構築および送信する方法は、以下のように実装することができる。方法は、基地局からの送信を構成する際に柔軟性を実現することができることを理解されたい。方法は、基地局のデジタル回路を使用して、動作を実行することを含むことができ、この動作は、（a）フレームのペイロード領域に割り当てられたＯＦＤＭシンボルのサンプルの長さの合計を計算すること、（b）合計およびペイロード領域のサンプルの長さに基づいていくつかの過剰なサンプルを計算すること、および（c）フレームを構築することであって、フレームを構築するアクションは、フレームに割り当てられたＯＦＤＭシンボルの１つまたは複数の１つまたは複数のサイクリックプレフィックスに過剰なサンプルを配布することを含む。フレームは、基地局の送信機を使用して、ワイヤレスチャネルへ送信することができる。
【０１８１】
[00179]  実施形態の１組では、フレームを構築および送信するための方法１９００は、図１９に示したアクションを含むことができる。方法１９００は、また、以前に記述した特徴、要素、および実施形態のサブセットを含むことができる。たとえば、方法１９００は、基地局またはアクセスポイントによって実装することができる。
【０１８２】
[00180]  工程１９１０で、基地局のデジタル回路は、動作を実行ことができ、動作は、以下のように１９１５および１９２０を含む。
【０１８３】
[00181]  工程１９１５で、デジタル回路は、複数の区画を構築することができ、区画の各々は、ＯＦＤＭシンボルの対応する組を含み、各区画におけるＯＦＤＭシンボルは、対応するＦＦＴサイズに準拠し、対応する最小のガードインターバルを満たす。言い換えると、各区画に対して、その区画における各ＯＦＤＭシンボルは、その区画に対する最小のガードインターバル以上であるサイクリックプレフィックスを持ち、その区画のＦＦＴサイズと等しいＦＦＴサイズを持つ。
【０１８４】
[00182]  工程１９２０で、デジタル回路は、上に様々に記述したように、ＯＦＤＭシンボルクラスタを形成するために、区画のＯＦＤＭシンボルを時間インタリーブすることによってフレームを構築することができる。ＯＦＤＭシンボルクラスタの各々は、区画の対応する１つに属する。ＯＦＤＭシンボルクラスタは、各区画に対するＯＦＤＭシンボルクラスタサイズの指定された値および各区画に対するＯＦＤＭシンボルクラスタ期間の指定された値によって定義することができる。
【０１８５】
[00183]  工程１９３０で、基地局の送信機は、ワイヤレスチャネルを通じてフレームを送信することができる。
【０１８６】
[00184]  一部の実施形態では、区画の第１は、モバイルデバイスに送信することを目標とすることができる一方、区画の第２は、固定されたデバイスに送信することを目標とする。したがって、第１の区画に対応するＦＦＴサイズは、第２の区画に対応するＦＦＴサイズより小さいように構成される。
【０１８７】
[00185]  一部の実施形態では、上記の動作は、また、フレームにシグナリング情報を埋め込むことを含み、シグナリング情報は、各区画に対するＯＦＤＭシンボルクラスタサイズの指定された値および各区画に対するＯＦＤＭシンボルクラスタ期間の指定された値を示している。ユーザデバイスは、フレームを受信し、フレームからシグナリング情報を回復するように構成することができる。ユーザデバイスが割り当てられている特定の区画について、ユーザデバイスは、フレームのシグナリング情報に基づいて、ＯＦＤＭシンボルクラスタサイズおよびＯＦＤＭシンボルクラスタ期間の対応する指定された値を決定する。次に、ユーザデバイスは、対応する指定された値を使用して、特定の区画のＯＦＤＭシンボルクラスタに属するＯＦＤＭシンボルを回復することができる。
【０１８８】
[00186]  実施形態の１組では、トランスポートストリームを構築および送信する方法２０００は、図２０に示したアクションを含むことができ、トランスポートストリームはフレームを含む。方法２０００は、また、以前に上に記述した特徴、要素、および実施形態のサブセットを含むことができる。たとえば、方法２０００は、基地局またはアクセスポイントによって実装することができる。
【０１８９】
[00187]  工程２０１０で、基地局のデジタル回路は、動作を実行ことができ、動作は、以下のように２０１５および２０２０を含む。
【０１９０】
[00188]  ２０１５で、デジタル回路は、フレームのペイロード領域を構築することができ、ペイロード領域のサンプルは、指定されたサンプル速度に対応し、指定されたサンプル速度は、基地局の送信回路によってサポートされた可能なサンプル速度の母集団から選択され、ペイロード領域のサンプルは、１つまたは複数の区画に分割され、区画の各々は、ＯＦＤＭシンボルの対応する組を含む。
【０１９１】
[00189]  工程２０２０で、デジタル回路は、トランスポートストリームにシグナリング情報を埋め込むことができ、シグナリング情報は、指定されたサンプル速度を示す情報を含む。
【０１９２】
[00190]  工程２０３０で、基地局の送信機は、ワイヤレスチャネルを通じてトランスポートストリームを送信することができる。
【０１９３】
[00191]  一部の実施形態では、サンプル速度は、この基地局を含むブロードキャストネットワークのオペレータによって指定されている。オペレータは、たとえば、図１Ａに示されたブロードキャストゲートウェイ１０２にアクセスすることによって、サンプル速度を指定することができる。
【０１９４】
[00192]  一部の実施形態では、シグナリング情報は、フレームの非ペイロード領域に埋め込まれる。
【０１９５】
[00193]  一部の実施形態では、各区画は、その区画に含まれるＯＦＤＭシンボルに対してＦＦＴサイズの対応する値を持つ。
【０１９６】
[00194]  一部の実施形態では、各区画に対して、その区画のＦＦＴサイズおよびサンプリングレートは、その区画に対する指定された最小のサブキャリア間隔またはドップラ耐性を満たす区画に対するサブキャリア間隔を定義するために選択されている。
【０１９７】
[00195]  所与のユーザデバイスは、フレームおよびシグナリング情報を含むトランスポートストリームをワイヤレスで受信することができる。ユーザデバイスは、フレームのペイロード領域のサンプルを取り込むために、シグナリング情報によって指定されたサンプル速度を使用するように、そのＯＦＤＭ受信機および／またはアナログ−デジタル変換回路を構成することができる。次に、ユーザデバイスは、様々に記述したように、適切な区画およびフレームのサービスデータストリームを復号することができる。
ＤＶＢとのコントラスト
【０１９８】
[00196]  デジタルビデオブロードキャスティング（「DVB」）および第二世代の地上ＤＶＢ−Ｔ２（Second Generation Terrestrial DVB-T2）は、混合されたスーパーフレーム（「SF」）構造を可能にするための機構としてフューチャエクステンションフレーム（「ＦＥＦ」:Future Extension Frame）を含む。ＤＶＢによると、混合されたスーパーフレームは、同じネットワークを用いて、同じ周波数帯域において、各々がＴ２およびＦＥＦのフレームの時間分割された送信など最適化された波形を用いて、固定とモバイルの両方のテレビサービスを送信することを許可する。
【０１９９】
[00197]  後方互換性を維持するために、ＤＶＢ−Ｔ２は、ＦＥＦの導入を可能にするために複数の制約を課する。たとえば、ＤＶＢ−Ｔ２によると、Ｔ２フレーム対ＦＥＦの比は固定され、ＳＦ内で繰り返される。加えて、ＳＦは、Ｔ２フレームで開始する必要があり、ＦＥＦで終わるべきである。また、ＤＶＢ−Ｔ２によると、連続する２つのＦＥＦを持つことは可能ではない。
【０２００】
[00198]  本開示は、そのような制約を課さない。特に、ＦＦＴモードとそれぞれの区画との間で割り当てられるトランスポートリソースの比は、シンボルにおけるＦＦＴサイズ、ＣＰ期間、およびペイロード範囲を含む、各モードにおけるそれぞれの構成に統計的に基づいて決定される。加えて、フレームの開始部分または終了部分に挿入されるＦＦＴモードに制限はない。また、ＦＦＴモードは、統計的な多重化配置を満たすために必要に応じて連続して繰り返す。
【０２０１】
[00199]  本開示とＤＶＢ−Ｔ２との間の１つの大きな違いは、ＦＦＴモードが多重化される方法である。ＦＥＦを用いるＤＶＢ−Ｔ２は、ＳＦの期間を通じて配布されるフレームに基づいて運用する。サービスは、Ｐ１プリアンブルによって分離された個々のフレーム境界で時間において本質的に多重化される。本開示は、一方で、サービスが、同じフレーム内のＯＦＤＭシンボル境界で多重化されることを可能にするスケジューリング配置について記述しており、本質的な追加された柔軟性を提供する。２つを超えるモードが同じ移送で多重化することができ、多重レベルの移動性対スループットの効率が提供される。シンボル境界の時分割多重化により、一方のモードの範囲が増加し、時間ダイバーシティが最大化する。フレーム構成は、受信機にシグナリングされ、各ＦＦＴモードの定期性、および一方のサービスに関連付けられたペイロードを回復するために必要とされるシンボルを示す。
【０２０２】
[00200]  本開示は、周波数領域において区画を分離する選択肢をさらに許可し、それによって、各区画をサブキャリアの個別の組へと限定する。これは、ＤＶＢ内で容易に指定可能でない能力である。
【０２０３】
[00201]  単一のＤＶＢフレーム内で異なるＦＦＴモードをマージさせる労力は、プリアンブル構造において変更を必要とし、レガシ受信機との後方互換性を害する。個別のＰ１プリアンブル領域に限定された、ＤＶＢにおいてフレームが多重化される方法を考慮すると、時間ダイバーシティに利得はない。ＦＥフレームに対するＴ２の比に課される制限は、このＤＶＢ多重化配置の有用性を制限された組の手作業によるユースケースのシナリオへと制限する。
【０２０４】
[00202]  本明細書に記述した様々な実施形態のいずれも、たとえばコンピュータに実装された方法として、コンピュータ可読メモリ媒体として、コンピュータシステムとしてなど、様々な形式のいずれかで実現することができる。システムは、特定用途向け集積回路（ASIC）など１つまたは複数のカスタム設計のハードウェアデバイスによって、フィールドプログラマブルゲートアレイ（FPGA）など１つまたは複数のプログラム可能なハードウェア要素によって、ストアードプログラム命令を実行する１つまたは複数のプロセッサによって、または前述の任意の組み合わせによって実現することができる。
【０２０５】
[00203]  一部の実施形態では、非一時的コンピュータ可読メモリ媒体は、プログラム命令および／またはデータを記憶するように構成することができ、プログラム命令は、コンピュータシステムによって実行されると、コンピュータシステムに、たとえば、本明細書に記述した方法の実施形態のいずれか、または本明細書に記述した方法の実施形態の組み合わせ、または本明細書に記述した方法の実施形態のいずれかのサブセットまたは、そのようなサブセットの任意の組み合わせなどの方法を実行させる。
【０２０６】
[00204]  一部の実施形態では、コンピュータシステムは、プロセッサ（またはプロセッサの組）およびメモリ媒体を含むように構成することができ、メモリ媒体は、プログラム命令を記憶し、プロセッサは、メモリ媒体からプログラム命令を読み込み実行するように構成され、プログラム命令は、本明細書に記述された様々な方法の実施形態のいずれか（または本明細書に記述した方法の実施形態の任意の組み合わせ、もしくは本明細書に記述した方法の実施形態のいずれかのサブセット、もしくはそのようなサブセットの任意の組み合わせ）を実装するように実行可能である。コンピュータシステムは、様々な形式のいずれかで実現することができる。たとえば、コンピュータシステムは、（その様々な具現化物のいずれかにおける）パーソナルコンピュータ、ワークステーション、カード上のコンピュータ（computer on a card）、ボックス内の特定用途向けコンピュータ、サーバコンピュータ、クライアントコンピュータ、携帯端末、モバイルデバイス、ウェアラブルコンピュータ、検出デバイス、テレビ、ビデオ取得デバイス、生体に埋め込まれたコンピュータなどの場合がある。コンピュータシステムは、１つまたは複数のディスプレイデバイスを含むことができる。本明細書に開示された様々な計算結果のいずれかは、ディスプレイデバイスを介して表示することができるか、または他の方法で、ユーザインターフェースデバイスを介して出力として提示することができる。
【０２０７】
[00205]  上記の実施形態は、極めて詳細に記述されているが、上記の開示が完全に理解されると、多数の変形および変更が当業者には自明になるであろう。以下の特許請求の範囲は、すべてのそのような変形および変更を包含することを意図するものである。
【図１Ａ】
2020005288.tif 000028
【図１Ｂ】
2020005288.tif 000029
【図２】
2020005288.tif 000030
【図３Ａ】
2020005288.tif 000031
【図３Ｂ】
2020005288.tif 000032
【図４Ａ】
2020005288.tif 000033
【図４Ｂ】
2020005288.tif 000034
【図５】
2020005288.tif 000035
【図６】
2020005288.tif 000036
【図７】
2020005288.tif 000037
【図８】
2020005288.tif 000038
【図９】
2020005288.tif 000039
【図１０】
2020005288.tif 000040
【図１１】
2020005288.tif 000041
【図１２】
2020005288.tif 000042
【図１３】
2020005288.tif 000043
【図１４】
2020005288.tif 000044
【図１５】
2020005288.tif 000045
【図１６】
2020005288.tif 000046
【図１７】
2020005288.tif 000047
【図１８】
2020005288.tif 000048
【図１９】
2020005288.tif 000049
【図２０】
2020005288.tif 000050
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
変動レートブロードキャスト信号を送信するためのコンピュータプログラム製品であって、実行されたときに少なくとも１つのプロセッサに、
データフレームのペイロード領域を構築し、前記ペイロード領域のサンプルは、指定されたサンプル速度に対応し、前記指定されたサンプル速度は、複数のサンプル速度から選択され、
前記ペイロード領域の前記サンプルを１つまたは複数の区画へと分割し、前記区画の各々は、ＯＦＤＭシンボルの対応する組を含み、
前記データフレームを含むトランスポートストリームにシグナリング情報を埋め込み、前記シグナリング情報は、前記指定されたサンプル速度を示すデータを含み、
前記指定されたサンプル速度に少なくとも部分的に基づいて前記トランスポートストリームを送信する
ようにさせるコンピュータ実行可能命令が記憶された１つまたは複数の非一時的コンピュータ可読記憶デバイスを含む、コンピュータプログラム製品。
【請求項２】
前記コンピュータ実行可能命令は、実行された時にさらに、前記少なくとも１つのプロセッサに、ブロードキャストネットワークのオペレータからの前記指定されたサンプル速度を示すデータを受信させる、請求項１に記載のコンピュータプログラム製品。
【請求項３】
前記コンピュータ実行可能命令は、実行された時にさらに、前記少なくとも１つのプロセッサに、前記フレームの非ペイロード領域に前記シグナリング情報を埋め込ませる、請求項１に記載のコンピュータプログラム製品。
【請求項４】
前記１つまたは複数の区画の各区画は、前記１つまたは複数の区画に関連付けられたＯＦＤＭシンボルに対するＦＦＴサイズの対応する値を有する、請求項１に記載のコンピュータプログラム製品。
【請求項５】
前記コンピュータ実行可能命令は、実行された時にさらに、前記少なくとも１つのプロセッサに、各区画に対して、前記区画に対する指定された最小のサブキャリア間隔を満たす前記区画に対するサブキャリア間隔を定義するために、前記区画および前記指定されたサンプリングレートに対する前記ＦＦＴサイズを選択させる、請求項４に記載のコンピュータプログラム製品。
【請求項６】
前記１つまたは複数の区画の各区画は、前記１つまたは複数の区画に関連付けられたＯＦＤＭシンボルに対するサイクリックプレフィックスサイズの対応する値を有する、請求項１に記載のコンピュータプログラム製品。
【請求項７】
前記１つまたは複数の区画のある区画に対応する前記サイクリックプレフィックスサイズは、１９２、３８４、５１２、７６８、１０２４、１５３６、２０４８、３０７２、および４０９６サンプルからなる群から選択される、請求項６に記載のコンピュータプログラム製品。
【請求項８】
前記１つまたは複数の区画のうちの第１の区画に対応する前記ＦＦＴサイズは、前記１つまたは複数の区画のうちの第２の区画に対応する前記ＦＦＴサイズより小さい、請求項４に記載のコンピュータプログラム製品。
【請求項９】
前記１つまたは複数の区画に関連付けられたＯＦＤＭシンボルに対するサイクリックプレフィックスは、対応する最小のガードインターバル期間に基づいてサイズ制約を満たす、請求項１に記載のコンピュータプログラム製品。
【請求項１０】
前記ペイロード領域の前記１つまたは複数の区画のうちの１つは、前記ペイロード領域内の前記ＯＦＤＭシンボルの最初の隣接するサブセットを表している、請求項１に記載のコンピュータプログラム製品。
【請求項１１】
前記コンピュータ実行可能命令は、前記少なくとも１つのプロセッサに、ＯＦＤＭシンボルクラスタを形成するために前記データフレームの前記ペイロード領域内の前記ＯＦＤＭシンボルをインタリーブさせることをさらに含む、請求項１に記載のコンピュータプログラム製品。
【外国語明細書】
2020005288000001.pdf